(57)【要約】  ＵＬ／ＤＬ不均衡シナリオにおける接続性能問題に対処するために構成されたマルチアンテナデバイスが説明される。デバイスは、潜在的ＵＬ／ＤＬ不均衡シナリオを識別し、検出された不均衡に基づいて、モビリティプロシージャおよび／またはモビリティ測定報告のためにプライマリアンテナまたはダイバーシティアンテナのいずれかに関連する信号測定値を選択し得る。一例では、デバイスは、プライマリアンテナとダイバーシティアンテナの両方において信号を受信し得、プライマリ信号測定値とダイバーシティ信号測定値との間の不均衡を識別し得る。デバイスは、次いで、識別された不均衡を不均衡しきい値と比較し得、比較に少なくとも部分的に基づいて、モビリティプロシージャおよび／または測定報告のためにプライマリ信号測定値またはダイバーシティ信号測定値を選択し得る。たとえば、不均衡が不均衡しきい値よりも大きい場合、デバイスは、プライマリ信号測定値を使用し得、他の場合、プライマリ信号測定値またはダイバーシティ信号測定値のうちのより強いものを使用し得る。【選択図】図２
2018533258.tif 000002
【特許請求の範囲】
【請求項１】
ユーザ機器におけるワイヤレス通信の方法であって、
基地局のサービングセルとの接続モードにある間、前記ユーザ機器の第１のアンテナおよび第２のアンテナを介して信号を受信すること、ここにおいて、前記第１のアンテナは、前記ユーザ機器の送信チェーンに関連する、と、
前記第１のアンテナを介して受信された前記信号の第１の信号測定値と、前記第２のアンテナを介して受信された前記信号の第２の信号測定値との間の不均衡を識別することと、
前記識別された不均衡を不均衡しきい値と比較することと、
前記比較の結果に少なくとも部分的に基づいて、モビリティイベント報告のために前記第１の信号測定値または前記第２の信号測定値を選択することと
を備える、方法。
【請求項２】
前記第１の信号測定値は、前記不均衡しきい値よりも大きいかまたはそれに等しい量だけ前記第２の信号測定値よりも小さいと決定することをさらに備え、
前記第１の信号測定値は、前記モビリティイベント報告のために選択される、
請求項１に記載の方法。
【請求項３】
前記第１の信号測定値と１つまたは複数のモビリティ報告しきい値との比較の結果に少なくとも部分的に基づいて、モビリティイベントの報告をトリガすることをさらに備える、
請求項２に記載の方法。
【請求項４】
前記決定することに基づいて、前記モビリティイベント報告における利用のために前記第１のアンテナを介して受信された非サービングセルからの第２の信号の第３の信号測定値を選択することをさらに備える、
請求項２に記載の方法。
【請求項５】
前記第１の信号測定値を信号測定しきい値と比較することをさらに備え、
前記第１の信号測定値を前記選択することは、前記第１の信号測定値が前記信号測定しきい値を下回ると識別することにさらに基づく、
請求項２に記載の方法。
【請求項６】
前記第１のアンテナを介して受信された非サービングセルからの第２の信号の第３の信号測定値と、前記第２のアンテナを介して受信された前記第２の信号の第４の信号測定値との間の第２の不均衡を識別することと、
前記第２の不均衡と第２の不均衡しきい値との比較の結果に基づいて、前記モビリティイベント報告のために前記第３の信号測定値または前記第４の信号測定値を選択することと
をさらに備える、請求項１に記載の方法。
【請求項７】
前記第３の信号測定値は、前記第２の不均衡しきい値よりも大きいかまたはそれに等しい量だけ前記第４の信号測定値よりも小さいと決定することをさらに備え、
前記第３の信号測定値は、前記モビリティイベント報告のために選択される、
請求項６に記載の方法。
【請求項８】
前記モビリティイベント報告のために前記第１の信号測定値または前記第２の信号測定値を前記選択することは、前記第１の信号測定値が、所定の数の測定について、前記不均衡しきい値よりも大きいかまたはそれに等しい量だけ前記第２の信号測定値よりも小さいと決定することを備える、
請求項１に記載の方法。
【請求項９】
前記不均衡しきい値は、前記第１の信号測定値、前記第２の信号測定値、モビリティ報告しきい値、またはモビリティ報告ヒステリシスのうちの１つまたは複数に少なくとも部分的に基づいて動的に調整される、
請求項１に記載の方法。
【請求項１０】
ユーザ機器におけるワイヤレス通信のための装置であって、
基地局のサービングセルとの接続モードにある間、前記ユーザ機器の第１のアンテナおよび第２のアンテナを介して信号を受信するための手段、ここにおいて、前記第１のアンテナは、前記ユーザ機器の送信チェーンに関連する、と、
前記第１のアンテナを介して受信された前記信号の第１の信号測定値と、前記第２のアンテナを介して受信された前記信号の第２の信号測定値との間の不均衡を識別するための手段と、
前記識別された不均衡を不均衡しきい値と比較するための手段と、
前記比較の結果に少なくとも部分的に基づいて、モビリティイベント報告のために前記第１の信号測定値または前記第２の信号測定値を選択するための手段と
を備える、装置。
【請求項１１】
前記第１の信号測定値は、前記不均衡しきい値よりも大きいかまたはそれに等しい量だけ前記第２の信号測定値よりも小さいと決定するための手段をさらに備え、
前記第１の信号測定値は、前記モビリティイベント報告のために選択される、
請求項１０に記載の装置。
【請求項１２】
前記第１の信号測定値と１つまたは複数のモビリティ報告しきい値との比較の結果に少なくとも部分的に基づいて、モビリティイベントの報告をトリガするための手段をさらに備える、
請求項１１に記載の装置。
【請求項１３】
前記決定することに基づいて、モビリティイベントの報告をトリガするために前記第１の信号測定値との比較のために前記第１のアンテナを介して受信された非サービングセルからの第２の信号の第３の信号測定値を選択するための手段をさらに備える、
請求項１１に記載の装置。
【請求項１４】
前記第１の信号測定値を信号測定しきい値と比較するための手段をさらに備え、
前記第１の信号測定値を前記選択することは、前記第１の信号測定値が前記信号測定しきい値を下回ると識別することにさらに基づく、
請求項１１に記載の装置。
【請求項１５】
前記モビリティイベント報告のために前記第１の信号測定値または前記第２の信号測定値を前記選択するための手段は、前記第１の信号測定値が、所定の数の測定について、前記不均衡しきい値よりも大きいかまたはそれに等しい量だけ前記第２の信号測定値よりも小さいと決定することに基づいて、前記第１の信号測定値を選択する、
請求項１０に記載の装置。
【請求項１６】
前記不均衡しきい値は、前記第１の信号測定値、前記第２の信号測定値、モビリティ報告しきい値、またはモビリティ報告ヒステリシスのうちの１つまたは複数に少なくとも部分的に基づいて動的に調整される、
請求項１０に記載の装置。
【請求項１７】
ユーザ機器におけるワイヤレス通信のための装置であって、
プロセッサと、
前記プロセッサと電子通信しているメモリと、
前記メモリに記憶された命令と
を備え、前記命令は、前記プロセッサによって実行されると、前記装置に、
基地局のサービングセルとの接続モードにある間、前記ユーザ機器の第１のアンテナおよび第２のアンテナを介して信号を受信すること、ここにおいて、前記第１のアンテナは、前記ユーザ機器の送信チェーンに関連する、と、
前記第１のアンテナを介して受信された前記信号の第１の信号測定値と、前記第２のアンテナを介して受信された前記信号の第２の信号測定値との間の不均衡を識別することと、
前記識別された不均衡を不均衡しきい値と比較することと、
前記比較の結果に少なくとも部分的に基づいて、モビリティイベント報告のために前記第１の信号測定値または前記第２の信号測定値を選択することと
を行わせるように動作可能である、装置。
【請求項１８】
前記命令は、前記プロセッサに、
前記第１の信号測定値が、前記不均衡しきい値よりも大きいかまたはそれに等しい量だけ前記第２の信号測定値よりも小さいと決定することを行わせるように動作可能であり、
前記第１の信号測定値は、前記モビリティイベント報告のために選択される、
請求項１７に記載の装置。
【請求項１９】
前記命令は、前記プロセッサに、
前記第１の信号測定値と１つまたは複数のモビリティ報告しきい値との比較の結果に少なくとも部分的に基づいて、モビリティイベントの報告をトリガすることを行わせるように動作可能である、
請求項１８に記載の装置。
【請求項２０】
前記命令は、前記プロセッサに、
前記決定することに基づいて、前記モビリティイベント報告における利用のために前記第１のアンテナを介して受信された非サービングセルからの第２の信号の第３の信号測定値を選択することを行わせるように動作可能である、
請求項１８に記載の装置。
【請求項２１】
前記命令は、前記プロセッサに、
前記第１の信号測定値を信号測定しきい値と比較することを行わせるように動作可能であり、
前記第１の信号測定値を前記選択することは、前記第１の信号測定値が前記信号測定しきい値を下回ると識別することにさらに基づく、
請求項１８に記載の装置。
【請求項２２】
前記命令は、前記プロセッサに、
前記第１の信号測定値が、所定の数の測定について、前記不均衡しきい値よりも大きいかまたはそれに等しい量だけ前記第２の信号測定値よりも小さいと決定することに基づいて、前記モビリティイベント報告のために前記第１の信号測定値を選択することを行わせるように動作可能である、
請求項１７に記載の装置。
【請求項２３】
前記不均衡しきい値は、前記第１の信号測定値、前記第２の信号測定値、モビリティ報告しきい値、またはモビリティ報告ヒステリシスのうちの１つまたは複数に少なくとも部分的に基づいて動的に調整される、
請求項１７に記載の装置。
【請求項２４】
ユーザ機器におけるワイヤレス通信のためのコードを記憶する非一時的コンピュータ可読媒体であって、前記コードは、
基地局のサービングセルとの接続モードにある間、前記ユーザ機器の第１のアンテナおよび第２のアンテナを介して信号を受信すること、ここにおいて、前記第１のアンテナは、前記ユーザ機器の送信チェーンに関連する、と、
前記第１のアンテナを介して受信された前記信号の第１の信号測定値と、前記第２のアンテナを介して受信された前記信号の第２の信号測定値との間の不均衡を識別することと、
前記識別された不均衡を不均衡しきい値と比較することと、
前記比較の結果に少なくとも部分的に基づいて、モビリティイベント報告のために前記第１の信号測定値または前記第２の信号測定値を選択することと
を行うために実行可能な命令を備える、非一時的コンピュータ可読媒体。
【請求項２５】
前記命令は、
前記第１の信号測定値が、前記不均衡しきい値よりも大きいかまたはそれに等しい量だけ前記第２の信号測定値よりも小さいと決定することを行うために実行可能であり、
前記第１の信号測定値は、前記モビリティイベント報告のために選択される、
請求項２４に記載の非一時的コンピュータ可読媒体。
【請求項２６】
前記命令は、
前記第１の信号測定値と１つまたは複数のモビリティ報告しきい値との比較の結果に少なくとも部分的に基づいて、モビリティイベントの報告をトリガすることを行うために実行可能である、
請求項２５に記載の非一時的コンピュータ可読媒体。
【請求項２７】
前記命令は、
前記決定することに基づいて、前記モビリティイベント報告における利用のために前記第１のアンテナを介して受信された非サービングセルからの第２の信号の第３の信号測定値を選択することを行うために実行可能である、
請求項２５に記載の非一時的コンピュータ可読媒体。
【請求項２８】
前記命令は、
前記第１の信号測定値を信号測定しきい値と比較することを行うために実行可能であり、
前記第１の信号測定値を前記選択することは、前記第１の信号測定値が前記信号測定しきい値を下回ると識別することにさらに基づく、
請求項２５に記載の非一時的コンピュータ可読媒体。
【請求項２９】
前記命令は、
前記第１の信号測定値が、所定の数の測定について、前記不均衡しきい値よりも大きいかまたはそれに等しい量だけ前記第２の信号測定値よりも小さいと決定することに基づいて、前記モビリティイベント報告のために前記第１の信号測定値を選択することを行うために実行可能である、
請求項２４に記載の非一時的コンピュータ可読媒体。
【請求項３０】
前記不均衡しきい値は、前記第１の信号測定値、前記第２の信号測定値、モビリティ報告しきい値、またはモビリティ報告ヒステリシスのうちの１つまたは複数に少なくとも部分的に基づいて動的に調整される、
請求項２４に記載の非一時的コンピュータ可読媒体。
【発明の詳細な説明】
【相互参照】
【０００１】
[0001]本特許出願は、各々が本出願の譲受人に譲渡された、２０１６年８月４日に出願された、「Enhanced Connection Performance in UL/DL Imbalance Scenarios」と題する、Ｍａｌｉらによる米国特許出願第１５／２２８，７４８号、および２０１５年９月３日に出願された、「Enhanced Connection Performance in UL/DL Imbalance Scenarios」と題する、Ｍａｌｉらによる米国仮特許出願第６２／２１４，１９９号の優先権を主張する。
【技術分野】
【０００２】
[0002]以下は、一般にワイヤレス通信に関し、より詳細には、アップリンク（ＵＬ）／ダウンリンク（ＤＬ）不平衡シナリオにおける接続性能問題に対処するための方法に関する。
【背景技術】
【０００３】
[0003]ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース（たとえば、時間、周波数、および電力）を共有することによって複数のユーザとの通信をサポートすることが可能であり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム（たとえば、ロングタームエボリューション（ＬＴＥ（登録商標））システム）がある。ワイヤレス多元接続通信システムは、場合によってはユーザ機器（ＵＥ）として知られていることがある、複数の通信デバイスのための通信を各々が同時にサポートする、いくつかの基地局を含み得る。いくつかの場合には、ＵＥは、複数のアンテナ（たとえば、プライマリアンテナおよびダイバーシティアンテナ）で構成され得、ダイバーシティ技法（たとえば、受信ダイバーシティ、送信ダイバーシティ、空間ダイバーシティなど）の適用のための複数の受信チェーンを含み得る。プライマリアンテナは、送信チェーンおよび受信チェーンと結合され得、ダイバーシティアンテナは、受信チェーンと結合され得る。ＵＥは、両方のアンテナにおいて基地局から受信された信号を測定し得、モビリティプロシージャおよび／または測定報告のために信号測定値を使用し得る。
【０００４】
[0004]いくつかの場合には、ＵＥは、モビリティプロシージャおよび／または測定報告のために、プライマリアンテナまたはダイバーシティアンテナからの２つの信号測定値のうちのより強いものを選択し得る。いくつかの場合には、ダイバーシティアンテナにおいて作られる信号測定値は、プライマリアンテナにおいて作られる信号測定値よりも強くなり得る。たとえば、プライマリアンテナは、ダイバーシティアンテナと比較して、ハンドグリップによって引き起こされる遮断、異なるアンテナ配置、異なるアンテナ材料などによって、損なわれ得る。いくつかの場合には、プライマリアンテナおよびダイバーシティアンテナを介した信号送信および受信における差は、モビリティプロシージャおよび／または測定報告に影響を及ぼし得る。
【発明の概要】
【０００５】
[0005]アップリンク（ＵＬ）／ダウンリンク（ＤＬ）不均衡シナリオにおける接続性能問題に対処するために構成されたマルチアンテナデバイスが説明される。マルチアンテナデバイスは、潜在的ＵＬ／ＤＬ不均衡シナリオを識別し、不均衡シナリオに基づいて、モビリティ報告のためにプライマリアンテナまたはダイバーシティアンテナのいずれかに関連する信号測定値を選択し得る。一例では、マルチアンテナデバイスは、プライマリアンテナおよびダイバーシティアンテナにおいて信号を受信し得、プライマリ信号測定値とダイバーシティ信号測定値との間の不均衡を識別し得る。マルチアンテナデバイスは、次いで、識別された不均衡を不均衡しきい値と比較し得、比較に少なくとも部分的に基づいて、モビリティプロシージャおよび／または測定報告のためにプライマリ信号測定値またはダイバーシティ信号測定値を選択し得る。たとえば、不均衡が不均衡しきい値よりも大きい場合、マルチアンテナデバイスは、プライマリ信号測定値を使用し得、他の場合、プライマリ信号測定値またはダイバーシティ信号測定値のうちのより強いものを使用し得る。いくつかの場合には、マルチアンテナデバイスはまた、モビリティプロシージャおよび／または測定報告を実行するために、アイドルモードまたは接続モードなど、通信モードを識別し得る。
【０００６】
[0006]ワイヤレス通信の方法が説明される。本方法は、基地局のサービングセルとの接続モードにある間、ユーザ機器の第１のアンテナおよび第２のアンテナを介して信号を受信することと、ここにおいて、第１のアンテナがユーザ機器の送信チェーンに関連する、第１のアンテナを介して受信された信号の第１の信号測定値と、第２のアンテナを介して受信された信号の第２の信号測定値との間の不均衡を識別することと、識別された不均衡を不均衡しきい値と比較することと、比較の結果に少なくとも部分的に基づいて、モビリティイベント報告のために第１の信号測定値または第２の信号測定値を選択することとを含み得る。
【０００７】
[0007]ワイヤレス通信のための装置が説明される。本装置は、基地局のサービングセルとの接続モードにある間、ユーザ機器の第１のアンテナおよび第２のアンテナを介して信号を受信するための手段と、ここにおいて、第１のアンテナがユーザ機器の送信チェーンに関連する、第１のアンテナを介して受信された信号の第１の信号測定値と、第２のアンテナを介して受信された信号の第２の信号測定値との間の不均衡を識別するための手段と、識別された不均衡を不均衡しきい値と比較するための手段と、比較の結果に少なくとも部分的に基づいて、モビリティイベント報告のために第１の信号測定値または第２の信号測定値を選択するための手段とを含み得る。
【０００８】
[0008]ワイヤレス通信のためのさらなる装置が説明される。本装置は、プロセッサと、プロセッサと電子通信しているメモリと、メモリに記憶された命令とを含み得、命令は、プロセッサによって実行されたとき、装置に、基地局のサービングセルとの接続モードにある間、ユーザ機器の第１のアンテナおよび第２のアンテナを介して信号を受信することと、ここにおいて、第１のアンテナがユーザ機器の送信チェーンに関連する、第１のアンテナを介して受信された信号の第１の信号測定値と、第２のアンテナを介して受信された信号の第２の信号測定値との間の不均衡を識別することと、識別された不均衡を不均衡しきい値と比較することと、比較の結果に少なくとも部分的に基づいて、モビリティイベント報告のために第１の信号測定値または第２の信号測定値を選択することとを行わせるように動作可能である。
【０００９】
[0009]ワイヤレス通信のためのコードを記憶する非一時的コンピュータ可読媒体が説明される。コードは、基地局のサービングセルとの接続モードにある間、ユーザ機器の第１のアンテナおよび第２のアンテナを介して信号を受信することと、ここにおいて、第１のアンテナがユーザ機器の送信チェーンに関連する、第１のアンテナを介して受信された信号の第１の信号測定値と、第２のアンテナを介して受信された信号の第２の信号測定値との間の不均衡を識別することと、識別された不均衡を不均衡しきい値と比較することと、比較の結果に少なくとも部分的に基づいて、モビリティイベント報告のために第１の信号測定値または第２の信号測定値を選択することとを行うために実行可能な命令を含み得る。
【００１０】
[0010]本明細書で説明される方法、装置、または非一時的コンピュータ可読媒体のいくつかの例は、第１の信号測定値が、不均衡しきい値よりも大きいかまたはそれに等しい量だけ第２の信号測定値よりも小さいと決定するためのプロセス、特徴、手段、または命令をさらに含み得、第１の信号測定値はモビリティイベント報告のために選択される。追加または代替として、いくつかの例は、第１の信号測定値と１つまたは複数のモビリティ報告しきい値との比較の結果に少なくとも部分的に基づいて、モビリティイベントの報告をトリガするためのプロセス、特徴、手段、または命令を含み得る。
【００１１】
[0011]本明細書で説明される方法、装置、または非一時的コンピュータ可読媒体のいくつかの例は、決定することに基づいて、モビリティイベント報告における利用のために第１のアンテナを介して受信された非サービングセルからの第２の信号の第３の信号測定値を選択するためのプロセス、特徴、手段、または命令をさらに含み得る。追加または代替として、いくつかの例では、モビリティイベント報告のために第１の信号測定値または第２の信号測定値を選択することは、第１の信号測定値が、所定の数の測定について、不均衡しきい値よりも大きいかまたはそれに等しい量だけ第２の信号測定値よりも小さいと決定することを備える。
【００１２】
[0012]本明細書で説明される方法、装置、または非一時的コンピュータ可読媒体のいくつかの例は、第１の信号測定値が信号測定しきい値を下回ると識別するためのプロセス、特徴、手段、または命令をさらに含み得、決定することは、第１の信号測定値が信号測定しきい値を下回ると識別することに少なくとも部分的に基づく。追加または代替として、いくつかの例では、不均衡しきい値は、第１の信号測定値、第２の信号測定値、モビリティ報告しきい値、またはモビリティ報告ヒステリシスのうちの１つまたは複数に少なくとも部分的に基づいて動的に調整される。
【００１３】
[0013]本明細書で説明される方法、装置、または非一時的コンピュータ可読媒体のいくつかの例は、ＵＬ／ＤＬ不均衡シナリオにおける接続性能問題に対処するためのプロセス、特徴、手段、または命令をさらに含み得る。説明されたシステム、方法、装置、またはコンピュータ可読媒体の適用性のさらなる範囲が、以下の発明を実施するための形態、特許請求の範囲、および図面から明らかになろう。発明を実施するための形態の範囲内の様々な変更および改変が当業者に明らかになるので、発明を実施するための形態および特定の例は例示として与えられるものにすぎない。
【００１４】
[0014]本明細書で説明される方法、装置、または非一時的コンピュータ可読媒体のいくつかの例は、第１のアンテナを介して受信された非サービングセルからの第２の信号の第３の信号測定値と、第２のアンテナを介して受信された第２の信号の第４の信号測定値との間の第２の不均衡を識別することと、第２の不均衡と第２の不均衡しきい値との比較の結果に基づいて、モビリティイベント報告のために第３の信号測定値または第４の信号測定値を選択することとを行うためのプロセス、特徴、手段、または命令をさらに含み得る。
【００１５】
[0015]本明細書で説明される方法、装置、または非一時的コンピュータ可読媒体のいくつかの例は、第３の信号測定値が、第２の不均衡しきい値よりも大きいかまたはそれに等しい量だけ第４の信号測定値よりも小さいと決定するためのプロセス、特徴、手段、または命令をさらに含み得、
ここにおいて、第３の信号測定値はモビリティイベント報告のために選択される。
【図面の簡単な説明】
【００１６】
[0016]本開示の性質および利点のさらなる理解は、以下の図面を参照することによって実現され得る。添付の図では、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが本明細書において使用される場合、その説明は、第２の参照ラベルにかかわらず、同じ第１の参照ラベルを有する同様の構成要素のいずれにも適用可能である。
【図１】本開示の様々な態様による、ＵＬ／ＤＬ不均衡シナリオにおける接続性能問題に対処するための方法をサポートするワイヤレス通信システムの一例を示す図。
【図２】本開示の様々な態様による、ＵＬ／ＤＬ不均衡シナリオにおける接続性能問題に対処するためのマルチアンテナデバイスの一例を示す図。
【図３】本開示の様々な態様による、ＵＬ／ＤＬ不均衡シナリオにおける接続性能問題に対処するためのフローチャートの一例を示す図。
【図４】本開示の様々な態様による、ＵＬ／ＤＬ不均衡シナリオにおける接続性能問題に対処するための方法をサポートするワイヤレス通信サブシステムの一例を示す図。
【図５】本開示の様々な態様による、ＵＬ／ＤＬ不均衡シナリオにおける接続性能問題に対処するための方法をサポートするタイミング図。
【図６】本開示の様々な態様による、ＵＬ／ＤＬ不均衡シナリオにおける接続性能問題に対処するためのＵＬ／ＤＬ不均衡マネージャのブロック図。
【図７】本開示の様々な態様による、ＵＬ／ＤＬ不均衡シナリオにおける接続性能問題に対処するために構成されたＵＥを含むシステムの図。
【発明を実施するための形態】
【００１７】
[0024]アップリンク（ＵＬ）／ダウンリンク（ＤＬ）不均衡シナリオにおける接続性能問題に対処するための技法が開示される。マルチアンテナデバイスは、プライマリアンテナに関連する信号測定値とダイバーシティアンテナに関連する信号測定値との間のＵＬ／ＤＬ不均衡を識別し得る。マルチアンテナデバイスは、ＵＬ／ＤＬ不均衡による接続性能影響を緩和するために、モビリティ報告のために信号測定値から信号測定値のセットを選択し得る。本開示の態様が、ワイヤレス通信システムのコンテキストにおいて説明される。
【００１８】
[0025]たとえば、マルチアンテナＵＥは、サービング基地局に接続され得、モビリティ報告および動作（たとえば、セル再選択、ハンドオーバなど）のために、サービング基地局またはネイバリング基地局から信号（たとえば、同期信号、基準信号など）を受信し得る。ＵＥは、ダイバーシティ技法（たとえば、受信ダイバーシティ、送信ダイバーシティ、空間ダイバーシティなど）の適用のために複数のアンテナを含み得る。複数のアンテナは、プライマリアンテナとダイバーシティアンテナとを含み得、ここで、プライマリアンテナは、第１の受信チェーンおよび送信チェーンと結合され得、ダイバーシティアンテナは、第２の受信チェーンと結合され得る。いくつかの場合には、ＵＥは、追加のアンテナ、受信チェーン、および／または送信チェーンで構成され得る。いくつかの事例では、プライマリアンテナを介した信号送信／受信は、（たとえば、手による遮断などを介して）傷なわれ、ＵＥは、ＵＬ／ＤＬ不均衡を経験し得、それの間、ＵＥは、サービングまたはネイバー基地局から信号を受信し得るが、基地局に確実に送信することができないことがある。説明される態様によれば、ＵＥは、プライマリアンテナおよびダイバーシティアンテナからの信号測定値に基づいて潜在的ＵＬ／ＤＬ不均衡を検出し得、ハンドオーバ、セル再選択、および／または単一無線ボイス呼連続性（ＳＲＶＣＣ：single radio voice call continuity）動作など、モビリティプロシージャを向上させるために、モビリティイベントをトリガするために、およびモビリティ報告のために、信号測定値を選択し得る。
【００１９】
[0026]一例では、ＵＥは、プライマリアンテナとダイバーシティアンテナの両方において信号（たとえば、サービングまたはネイバリング基地局からの同期または基準信号など）を受信し得る。ＵＥは、それぞれ、プライマリアンテナおよびダイバーシティアンテナを介して、信号の別個のプライマリ信号測定値およびダイバーシティ信号測定値を決定し得る。ＵＥは、次いで、プライマリ信号測定値とダイバーシティ信号測定値との間の不均衡を識別し、識別された不均衡を不均衡しきい値と比較し得る。識別された不均衡が不均衡しきい値よりも大きいかまたはそれに等しい場合、ＵＥは、モビリティプロシージャおよび／または報告のために、プライマリ信号測定値を使用することを選定し得る。識別された不均衡が不均衡しきい値を下回る場合、ＵＥは、モビリティプロシージャおよび／または報告のために、プライマリ信号測定値とダイバーシティ信号測定値との間でより強い信号測定値を使用し得る。
【００２０】
[0027]いくつかの場合には、プライマリ信号測定値およびダイバーシティ信号測定値のうちのより強いものの代わりに、モビリティプロシージャおよび／または報告のためにプライマリ信号測定値を使用すべきかどうかを決定することは、プライマリ信号測定値が信号測定しきい値を下回るかどうかにさらに基づき得る。選択された信号測定値は、セル再選択のためにアイドルモードにおいて、またはモビリティ報告イベント（たとえば、モビリティイベントＡ２、Ａ３など）のトリガリングのために接続モードにおいて使用され得る。本開示のこれらおよび他の態様は、さらに、装置図、システム図、およびフローチャートによって示され、それらを参照しながら説明される。
【００２１】
[0028]図１は、本開示の様々な態様による、ＵＬ／ＤＬ不均衡シナリオにおける接続性能問題に対処するための方法をサポートするワイヤレス通信システム１００の一例を示す。ワイヤレス通信システム１００は、基地局１０５と、ＵＥ１１５と、コアネットワーク１３０とを含む。いくつかの例では、ワイヤレス通信システム１００はロングタームエボリューション（ＬＴＥ）／ＬＴＥアドバンスト（ＬＴＥ−Ａ）ネットワークであり得る。
【００２２】
[0029]基地局１０５は、１つまたは複数の基地局アンテナを介してＵＥ１１５とワイヤレス通信し得る。基地局１０５の各々は、それぞれの地理的カバレージエリア１１０に通信カバレージを与え得る。ワイヤレス通信システム１００に示されている通信リンク１２５は、ＵＥ１１５から基地局１０５へのＵＬ送信、または基地局１０５からＵＥ１１５へのＤＬ送信を含み得る。基地局１０５は互いをサポートし得、互いと通信し得る。たとえば、基地局１０５は、バックホールリンク１３２（たとえば、Ｓ１など）を通してコアネットワーク１３０とインターフェースし得る。基地局１０５はまた、直接または間接的にのいずれかで（たとえば、コアネットワーク１３０を通して）バックホールリンク１３４（たとえば、Ｘ１など）を介して互いと通信し得る。基地局１０５は、ＵＥ１１５との通信のための無線構成およびスケジューリングを実行し得るか、または基地局コントローラ（図示せず）の制御下で動作し得る。様々な例では、基地局１０５は、マクロセル、スモールセル、ホットスポットなどであり得る。基地局１０５は、いくつかの例では、ｅノードＢ（ｅＮＢ）と呼ばれることもある。
【００２３】
[0030]ＵＥ１１５は、ワイヤレス通信システム１００全体にわたって分散され得、各ＵＥ１１５は固定またはモバイルであり得る。ＵＥ１１５は、移動局、加入者局、リモートユニット、ワイヤレスデバイス、アクセス端末、ハンドセット、ユーザエージェント、クライアント、または何らかの他の好適な用語で呼ばれることもある。ＵＥ１１５は、セルラーフォン、ワイヤレスモデム、ハンドヘルドデバイス、パーソナルコンピュータ、タブレット、パーソナル電子デバイス、マシンタイプ通信（ＭＴＣ）デバイスなどでもあり得る。ＵＥ１１５は、基地局１０５と通信し得る。ＵＥ１１５は、複数のアンテナを用いて構成され得、いくつかの場合には、送信／受信動作のために複数のアンテナを使用し得る。いくつかの場合には、ＵＥ１１５は、プライマリアンテナおよび１つまたは複数のダイバーシティアンテナを用いて構成され得、ここで、プライマリアンテナは、第１の受信チェーンおよび送信チェーンと結合され得、ダイバーシティアンテナは、第２の受信チェーンと結合され得る。したがって、プライマリアンテナは、着信および発信信号の受信および送信のために使用され得、ダイバーシティアンテナは、送信のためではなく、受信性能を改善するために使用され得る。
【００２４】
[0031]いくつかのシナリオでは、プライマリアンテナとダイバーシティアンテナとは、異なるアンテナ配置、異なるアンテナ材料、ユーザの手の配置（たとえば、手による遮断）などにより異なるチャネル状態を経験し得る。いくつかの事例では、プライマリアンテナに関連する信号測定値は、ダイバーシティアンテナに関連する信号測定値に対して劣化していることがある。さらに、プライマリアンテナからの送信も減衰され得る。これは、信号が、ＵＥ１１５から送信された信号よりも大きい範囲でＵＥ１１５において受信され得るので、ＵＥ１１５におけるＵＬ／ＤＬ不均衡を生じ得る。このＵＬ／ＤＬ不均衡は、呼品質を損ない（たとえば、ドロップされた呼を生じ）、（たとえば、送信電力を増加させることによって）ＵＥ１１５における電力消費を増加させ得る。
【００２５】
[0032]いくつかの場合には、ＵＥ１１５は、セル再選択および／または測定報告など、モビリティプロシージャのために、ＵＥ１１５において受信された信号の信号測定値（たとえば、基準信号受信電力（ＲＳＲＰ：reference signal received power）、基準信号受信品質（ＲＳＲＱ：reference signal received quality）、受信信号強度インジケータ（ＲＳＳＩ：received signal strength indicator）など）を使用する。いくつかの場合には、基地局１０５は、ハンドオーバおよび単一無線ボイス呼連続性（ＳＲＶＣＣ）など、モビリティプロシージャのために測定報告を使用し得る。ハンドオーバおよびＳＲＶＣＣは、接続モードにあるＵＥ１１５のために使用されるネットワーク支援プロシージャであり、ＵＥ１１５は、アイドルモードにおいてセル再選択を自律的に実行し得る。いくつかの場合には、いくつかのモビリティイベント（たとえば、イベントＡ１〜Ａ５、Ｂ１、および／またはＢ２）は、測定された信号をモビリティイベントしきい値と比較することによってトリガされ得る。たとえば、イベントＡ２は、ヒステリシスを用いた、ＲＳＲＰなど、サービングセルに関連する信号測定値と、しきい値との比較に基づいてトリガされ得、ＭＥＡＳserv＋Ｈｙｓｔ＜Ｔｈｒｅｓｈｏｌｄが満たされるときにトリガされ得る。別の事例では、イベントＢ２は、サービングセル測定値をネイバリングネットワーク間セルと比較し得、ＭＥＡＳserv＋Ｈｙｓｔ＜Ｔｈｒｅｓｈｏｌｄ＿１であるときに、およびＭＥＡＳneigh＋Ｏｆｆｓｅｔneigh,freq−Ｈｙｓｔ＞Ｔｈｒｅｓｈｏｌｄ＿２が満たされるときにトリガされ得る。いくつかの場合には、ＵＥ１１５は、モビリティプロシージャおよび／または測定報告のために、最も強い信号を受信するアンテナに関連する信号測定値を使用するように静的に構成される。しかしながら、プライマリアンテナが損なわれるとき、ダイバーシティ信号測定値を使用することは、モビリティプロシージャを遅延させ得、ＵＥ１１５における延長されたＵＬ／ＤＬ不均衡を生じ得る。そのようなシナリオでは、ＵＥ１１５は、ドロップされた呼またはさもなければ低減された呼品質を経験し得る。
【００２６】
[0033]一例では、ダイバーシティアンテナにおいて取られた信号測定値は、プライマリアンテナにおいて取られたものよりも強くなり得る。これは、ＵＥ１１５が基地局１０５から信号を受信し得るが基地局１０５に確実に送信しないことがあるシナリオをもたらし得る。より強い信号測定値を使用することは、より強い測定値が、プライマリ信号測定値に関してモビリティイベントをトリガするのにより長くかかることがあるので、ハンドオーバおよびセル再選択動作を遅延させ得る。たとえば、ＵＥ１１５は、モビリティしきい値よりも大きい測定レベル（たとえば、ＲＳＲＰ、ＲＳＲＱ、ＲＳＳＩなど）においてダイバーシティアンテナを介して信号を受信し続け得るが、プライマリアンテナを介して受信された信号は、しきい値を下回る測定レベルを有する。したがって、モビリティプロシージャは遅延され得、ＵＥ１１５は、プライマリアンテナを介して基地局１０５に確実に送信することができないにもかかわらず、基地局１０５に接続されたままであり得る。
【００２７】
[0034]開示される態様によれば、マルチアンテナＵＥ１１５は、動的に選択された信号測定値を使用して、拡張モビリティ測定および報告のために構成され得る。例では、ＵＥ１１５は、接続モードにおいて、プライマリアンテナとダイバーシティアンテナの両方において信号を受信し得、プライマリ信号測定値とダイバーシティ信号測定値との間の不均衡を識別し得る。ＵＥ１１５は、次いで、識別された不均衡を不均衡しきい値と比較し得、比較に少なくとも部分的に基づいて、モビリティプロシージャおよび／または測定報告のために、プライマリ信号測定値またはダイバーシティ信号測定値のいずれかに関連する信号測定値を選択し得る。たとえば、不均衡が不均衡しきい値よりも大きい場合、ＵＥ１１５は、プライマリ信号測定値を使用し得、他の場合、プライマリ信号測定値およびダイバーシティ信号測定値のうちのより強いものを使用し得る。いくつかの場合には、ＵＥ１１５はまた、モビリティプロシージャおよび／または測定報告を実行するために、アイドルモードまたは接続モードなど、アクティブ通信モードを識別し得る。このようにして、ＵＥ１１５は、ＵＬ／ＤＬ不均衡が存在するとき、減少されたレイテンシで、アイドルモードにおけるモビリティプロシージャ（たとえば、セル再選択）、および／または接続モードモビリティプロシージャ（たとえば、ハンドオーバ、ＳＲＶＣＣハンドオーバなど）のための測定報告をトリガするためにプライマリ信号測定値を使用し得、モビリティプロシージャの信頼性を増加させ得る。
【００２８】
[0035]図２は、本開示の様々な態様による、ＵＬ／ＤＬ不均衡シナリオにおける接続性能問題に対処するためのマルチアンテナデバイス２００の一例を示す。マルチアンテナデバイス２００は、図１を参照しながら上記で説明されたＵＥ１１５の一例であり得る。マルチアンテナデバイス２００は、アンテナ２０５と、受信チェーン２１０と、送信チェーン２１５と、通信構成要素２２０とを含み得る。マルチアンテナデバイス２００は、プライマリアンテナ２０５−ａとダイバーシティアンテナ２０５−ｂとを含み得る。プライマリアンテナ２０５−ａは、受信チェーン２１０−ａと送信チェーン２１５とに結合され得、ダイバーシティアンテナ２０５−ｂは、受信チェーン２１０−ｂに結合され得る。通信構成要素２２０は、ＵＬ／ＤＬ不均衡マネージャ２３０を含み得る、物理（ＰＨＹ）レイヤプロセッサ２２５を含み得る。
【００２９】
[0036]一例では、マルチアンテナデバイス２００は、接続モードにあり、プライマリアンテナ２０５−ａおよびダイバーシティアンテナ２０５−ｂを介して信号（同期信号、基準信号など）を受信し得る。信号は、次いで、通信経路２０７−ａおよび２０７−ｂを介して、アナログ構成要素（たとえば、増幅器、フィルタなど）、アナログデジタル変換器、ベースバンド処理などを含み得る受信チェーン２１０−ａおよび２１０−ｂに受け渡される。アンテナ２０５−ａおよび２０５−ｂにおいて受信された信号のための別個の信号測定値が、ＰＨＹレイヤプロセッサ２２５において生成され、ＰＨＹレイヤプロセッサ２２５は、通信経路２１２−ａおよび２１２−ｂを介して、受信チェーン２１０−ａおよび２１０−ｂから後処理された（たとえば、フィルタ処理された、デジタル化された、デスクランブルされた、復調されたなど）信号を受信し得る。いくつかの場合には、ＵＬ／ＤＬ不均衡マネージャ２３０は、２つの測定値間の不均衡を識別するために、プライマリアンテナ２０５−ａに関連する信号測定値、または「プライマリ信号測定値」と、ダイバーシティアンテナ２０５−ｂに関連する信号測定値、または「ダイバーシティ信号測定値」とを比較し得る。プライマリ信号測定値が、不均衡しきい値よりも大きい量だけダイバーシティ信号測定値よりも弱いとき、ＵＬ／ＤＬ不均衡マネージャ２３０は、モビリティ報告のために（たとえば、イベントＡ１、Ａ２、Ｂ２など、モビリティイベントをトリガするために）プライマリ信号測定値を選択し得る。プライマリ信号測定値が、不均衡しきい値よりも大きい量だけダイバーシティ信号測定値よりも弱くないとき、プライマリ信号測定値およびダイバーシティ信号測定値のうちの最も強い信号測定値が、モビリティ報告のために使用され得る。
【００３０】
[0037]いくつかの場合には、ＵＬ／ＤＬ不均衡マネージャ２３０はまた、プライマリ信号測定値をダイバーシティ信号測定値と比較することより前に、またはそれとコンカレントに、プライマリ信号測定値を信号測定しきい値と比較し得る。また、ＵＬ／ＤＬ不均衡マネージャ２３０は、プライマリ信号測定値が信号測定しきい値を下回ることと、プライマリ信号測定値が不均衡しきい値よりも大きい量だけダイバーシティ信号測定値よりも弱いこととの両方であるとき、モビリティ報告のためにプライマリ信号測定値を選択し得る。モビリティイベントのトリガリング時に、マルチアンテナデバイス２００は、サービング基地局にモビリティイベントを報告し得、これにより、異なる基地局へのハンドオーバなど、モビリティプロシージャが行われ得る。
【００３１】
[0038]信号測定値および不均衡しきい値は、プライマリ信号測定値、ダイバーシティ信号測定値、モビリティ報告しきい値、モビリティ報告ヒステリシス、知られているネットワーク情報などのうちの１つまたは複数に少なくとも部分的に基づいて動的に調整され得る。たとえば、信号測定値および不均衡しきい値は、ある領域中にある基地局の数および／または密度に少なくとも部分的に基づいて設定され得る。一例では、不均衡しきい値は、より低いプライマリ信号測定値を識別することに基づいて減少され得る。いくつかの例では、不均衡しきい値は、プライマリ信号測定値の割合（たとえば、１０％、２０％など）として設定され得る。マルチアンテナデバイス２００が単一のダイバーシティアンテナ２０５−ｂとともに示されているが、マルチアンテナデバイス２００は、いくつかの場合には、複数のダイバーシティアンテナ２０５−ｂを有し得る。
【００３２】
[0039]送信チェーン２１５は、基地局への送信のために、アナログ構成要素（たとえば、電力増幅器、フィルタ、ミキサなど）、デジタルアナログ変換器、ベースバンド処理などを含み得る。送信チェーン２１５は、他のデバイスへの送信のために、通信経路２１２−ｃを介してＰＨＹレイヤプロセッサ２２５からデータ／信号を受信し得、後処理された（混合された、アナログ変換された、スクランブルされた、変調されたなど）信号を通信経路２０７−ｃを介してプライマリアンテナ２０５−ａに受け渡し得る。ＵＬ／ＤＬ不均衡の場合、プライマリアンテナと基地局との間の受信／送信経路が劣化していることがある。すなわち、マルチアンテナデバイス２００は、他のデバイスから信号を受信することが可能であり得るが、他のデバイスに信号を送信ことが可能でないことがある。いくつかの場合には、サービング基地局へのＵＬ送信の信頼性を維持するために、送信チェーン２１５によって使用される電力が増加され得る。しかしながら、マルチアンテナデバイス２００は、限られた電力ヘッドルームを有し得、送信帯域幅が増加するにつれて、リソースごとの送信電力が低減され得る。送信チェーン２１５における電力の増加は、マルチアンテナデバイス２００において消費される電力をも増加させ得る。ＵＬ／ＤＬ不均衡を識別し、より弱いプライマリ信号測定値を使用することによって、マルチアンテナデバイス２００は、ダイバーシティ信号測定値に対して低減されたレイテンシで、好ましいセルを探索しおよび／またはそれに移動するように促され得る。好ましいセルに接続されると、マルチアンテナデバイス２００は、送信チェーン２１５における電力消費を減少させ、および／または増加された送信信頼性を経験し得る。
【００３３】
[0040]図３は、本開示の様々な態様による、ＵＬ／ＤＬ不均衡シナリオにおける接続性能問題に対処するためのフローチャート３００の一例を示す。フローチャート３００は、図１〜図２を参照しながら上記で説明されたように、ＵＥ１１５またはマルチアンテナデバイス２００などのデバイスによって実行され得る。いくつかの例では、マルチアンテナＵＥは、以下で説明されるように、受信された信号に少なくとも部分的に基づいて、モビリティプロシージャおよび／または測定報告のために、プライマリ信号測定値を使用すべきなのかまたはダイバーシティ信号測定値を使用すべきなのかを決定し得る。
【００３４】
[0041]ステップ３０５において、ＵＥは、ダイバーシティアンテナとプライマリアンテナの両方において基地局（たとえば、サービング基地局、ネイバリング基地局など）から信号を受信する。信号は、データ信号または制御信号、同期信号、基準信号などを含み得る。いくつかの場合には、ユーザの手など、障害物が、ダイバーシティアンテナを介するよりも大きい程度にプライマリアンテナを介する受信を損ない得る。信号を受信するために複数のアンテナを使用することによって、ＵＥは、それの受信範囲を増加し得る。たとえば、ダイバーシティアンテナにおいて受信された信号とプライマリアンテナにおいて受信された信号とは、個々の信号のいずれかまたは両方よりも高い信号対雑音比（ＳＮＲ）をもつ、基地局から送信される信号を再構成するために、後の処理において組み合わせられ得る（たとえば、受信ダイバーシティ）。
【００３５】
[0042]ステップ３１０において、ＵＥは、プライマリアンテナおよびダイバーシティアンテナのための信号測定値を生成する。信号測定値は、モビリティイベント動作およびアップリンク送信電力決定のために使用され得る、ＲＳＲＰ、ＲＳＲＱ、ＲＳＳＩなどを含み得る。ＵＥは、プライマリアンテナおよびダイバーシティアンテナからの受信された信号のために、別個の信号測定値（たとえば、プライマリ信号測定値およびダイバーシティ信号測定値）を生成し得る。ＵＥは、プライマリ信号測定値およびダイバーシティ信号測定値のフィルタ処理（たとえば、レイヤ３フィルタ処理）を実行し得る。また、いくつかの場合には、ＵＥは、プライマリ信号測定値に少なくとも部分的に基づいて、送信電力を増加または減少させ得る。
【００３６】
[0043]ステップ３１５において、ＵＥは、プライマリ信号測定値が信号測定しきい値を下回るかどうかを決定する。いくつかの場合には、信号測定しきい値は、半静的に（たとえば、知られているネットワーク状態に少なくとも部分的に基づいて）または動的に（たとえば、信号測定値、報告ヒステリシスなどに少なくとも部分的に基づいて）決定され得る。いくつかの場合には、ＵＥは、追加の動作をトリガする前に所定の持続時間の間、プライマリ信号測定値が信号測定しきい値を下回るのを待ち得る。プライマリ測定値がしきい値を下回らない場合、ＵＥはステップ３２５に移動し、他の場合、ＵＥはステップ３２０に移動する。いくつかの場合には、ＵＥは、プライマリ信号測定値が信号測定しきい値を下回るかどうかを決定することを控え得る（たとえば、ステップ３１５はスキップされ得る）。
【００３７】
[0044]ステップ３２０において、ＵＥは、プライマリ信号測定値とダイバーシティ信号測定値との間の不均衡が不均衡しきい値を超える（たとえば、プライマリ信号測定値が、不均衡しきい値よりも大きい量だけダイバーシティ信号測定値よりも小さい）かどうかを決定する。いくつかの場合には、ＵＥは、測定不均衡を取得するために、ダイバーシティ信号測定値からプライマリ信号測定値を減算することと、測定不均衡を不均衡しきい値と比較することとによって、不均衡が存在するかどうかを決定する。不均衡しきい値は、半静的に（たとえば、知られているネットワーク状態に少なくとも部分的に基づいて、ネットワークによって構成され）または動的に（たとえば、信号測定値、報告ヒステリシスなどに少なくとも部分的に基づいて）決定され得る。不均衡が検出された場合、ＵＥはステップ３３０に進む。いくつかの場合には、ＵＥは、ステップ３３０への遷移をトリガする前に所定の持続時間の間、測定された不均衡が不均衡しきい値よりも大きくなるのを待ち得る。不均衡が検出されなかった場合、ＵＥはステップ３２５に進む。
【００３８】
[0045]ステップ３２５において、ＵＥは、モビリティプロシージャおよび／または測定報告のために、プライマリ信号測定値およびダイバーシティ信号測定値のうちのより強いものを選択する。ＵＥは、次いでステップ３３５に進む。
【００３９】
[0046]ステップ３３０において、ＵＥは、モビリティプロシージャおよび／または測定報告のためにプライマリ信号測定値を選択する。ＵＥは、次いでステップ３３５に進む。
【００４０】
[0047]ステップ３３５において、ＵＥは、現在の動作モード（たとえば、アイドルまたは接続）を識別する。ステップ３４０において、ＵＥが、デバイスがアイドルモードにおいて動作していると決定した場合、ＵＥは、セル再選択動作のために、ステップ３２５または３３０から決定されたように、選択された信号測定値を使用する。たとえば、ＵＥは、サービングセルのための選択された信号測定値（たとえば、より弱いプライマリ信号測定値）をセル再選択測定トリガしきい値と比較することに基づいて、ネイバリングセルのための信号測定値を生成するようにトリガされ得る。いくつかの場合には、ＵＥは、サービングセルのための選択された信号測定値がセル再選択測定トリガしきい値よりも小さい場合、ネイバリングセル信号測定値を作り得る。ネイバリングセル信号測定値のために使用されるアンテナは、ステップ３２５または３３０において選択された信号測定値に依存し得る。たとえば、セル再選択測定しきい値をトリガするために（たとえば、ステップ３３０において）プライマリ信号測定値が選択されたとき、プライマリアンテナを介して受信されたネイバリングセル信号の測定値が、選択されたプライマリ信号測定値と比較され得る。また、比較の結果が、新しいセルを選択するために使用され得る。
【００４１】
[0048]代替的に、ネイバリングセル信号測定値のための選択されるアンテナは、ネイバリングセルについての不均衡の検出に基づいて決定され得る。たとえば、ＵＥは、モビリティイベント（たとえば、Ａ３、Ｂ２など）のトリガリングのためにどのネイバリング信号測定値を使用すべきかを選択するために、ステップ３０５〜３３０と同様の動作を実行し得る。たとえば、ＵＥは、プライマリアンテナとセカンダリアンテナとの間の不均衡がネイバリング信号測定値のための（同じまたは異なるしきい値であり得る）第２の不均衡しきい値よりも大きいかどうかを決定し得る。不均衡が識別された場合、ＵＥは、プライマリアンテナを介して受信されたネイバリング信号の信号測定値を使用し得る。不均衡が識別されない場合、ＵＥは、セル再選択のためのモビリティイベントをトリガするために、３２５または３００において選択された信号測定値と比較するために、ネイバリング信号のプライマリ信号測定値またはダイバーシティ信号測定値のうちのより強いものを使用し得る。
【００４２】
[0049]ステップ３４５において、ＵＥが接続モードにおいて動作している場合、ＵＥは、選択された信号測定値がモビリティイベント状態を満たすかどうかを決定する。たとえば、サービングセルのための選択された信号測定値（＋ヒステリシス）がＡ２モビリティイベントのためのしきい値よりも小さい場合、ステップ３５０においてＡ２イベントの報告がトリガされる。サービングセルと非サービングセルの両方に基づくモビリティイベント報告について、ネイバリングセル信号測定値のために使用されるアンテナは、ステップ３２５または３３０における選択された信号測定値に依存し得る。たとえば、プライマリ信号測定値がモビリティイベントしきい値との比較のために選択された場合、モビリティイベント報告のためのネイバリングセル信号測定値も、プライマリ信号測定値と比較するために、プライマリアンテナを介して受信されたネイバリングセル信号に基づいて作られ得る。比較の結果が、モビリティイベント報告のために使用され得る。
【００４３】
[0050]代替的に、ネイバリングセル信号測定値のための選択されるアンテナは、ネイバリングセルについての不均衡の検出に基づいて決定され得る。たとえば、ＵＥは、モビリティイベント（たとえば、Ａ３、Ｂ２など）のトリガリングのためにどのネイバリング信号測定値を使用すべきかを選択するために、ステップ３０５〜３３０と同様の動作を実行し得る。たとえば、ＵＥは、プライマリアンテナとセカンダリアンテナとの間の不均衡がネイバリング信号測定値のための（同じまたは異なるしきい値であり得る）第２の不均衡しきい値よりも大きいかどうかを決定し得る。不均衡が識別された場合、ＵＥは、プライマリアンテナを介して受信されたネイバリング信号のために信号測定値を使用し得、不均衡が識別されない場合、ＵＥは、モビリティイベント報告のために、ネイバリング信号のプライマリ信号測定値またはダイバーシティ信号測定値のうちのより強いものを使用し得る。ステップ３４５においてモビリティ報告イベントがトリガされない場合、ＵＥは、ステップ３０５において追加の信号を受信することに進み得る。
【００４４】
[0051]３５０において、ＵＥが、モビリティイベント状態が満たされたと決定した場合、ＵＥは、サービング基地局にモビリティ報告イベントを報告する。いくつかの場合には、基地局は、モビリティプロシージャ（たとえば、ハンドオーバなど）をトリガするためにモビリティ報告イベントを使用し得る。不均衡が不均衡しきい値よりも大きい（および場合によってはプライマリ信号測定値が信号測定しきい値を下回る）状態の場合、プライマリ信号測定値に基づくモビリティイベント報告が、ダイバーシティ信号測定値に対してハンドオーバプロシージャを促進し得る。いくつかの場合には、ＵＥは、追加の信号を受信するためにステップ３０５に戻ることによって、アンテナにおける後続の信号測定値のために上記のプロセスを（たとえば、周期的に）繰り返し得る。
【００４５】
[0052]上記は、ＵＬ／ＤＬ不均衡シナリオにおける接続性能問題に対処すためのフローチャートの一例を与える。他の例では、上記のステップのうちの１つまたは複数が、代替順序で実行されるか、他の特徴と同時に実行されるか、またはプロセスから省略され得る。
【００４６】
[0053]図４は、本開示の様々な態様による、ＵＬ／ＤＬ不均衡シナリオにおける接続性能問題に対処するための方法をサポートするワイヤレス通信サブシステム４００の一例を示す。ワイヤレス通信サブシステム４００は、ＵＥ１１５または基地局１０５の例であり得る、ＵＥ１１５−ａと、基地局１０５−ａと、基地局１０５−ｂとを含み得、図１〜図２を参照しながら上記で説明されたように互いと通信し得る。いくつかの例では、ＵＥ１１５−ａは、送信チェーンと受信チェーンとに結合されたプライマリアンテナと、第２の受信チェーンに結合されたダイバーシティアンテナとを有し得る。したがって、ＵＥ１１５−ａは、プライマリアンテナを介してアップリンク４１０上で信号を送信し、プライマリアンテナおよび／またはダイバーシティアンテナを介してダウンリンク４０５上で信号を受信するように構成され得る。
【００４７】
[0054]一例では、ＵＥ１１５−ａは、基地局１０５−ａに接続され、ダウンリンク４０５およびアップリンク４１０を介して基地局１０５−ａと通信していることがあり得る。いくつかのシナリオでは、プライマリアンテナは損なわれ得、ダウンリンク４０５を介して送信された信号の品質は、（たとえば、手による遮断、アンテナ配置、異なる材料などにより）ダイバーシティアンテナに対してプライマリアンテナにおいて劣化していることがある。したがって、ＵＥ１１５−ａは、（たとえば、ダイバーシティアンテナを使用することによって、またはプライマリアンテナにおいて受信された信号とダイバーシティアンテナにおいて受信された信号とを組み合わせることによって）地理的カバレージエリア１１０−ａ内で基地局１０５−ａからの通信を受信することが可能であり得るが、ＵＥ１１５−ａは、送信カバレージエリア４２０−ａの外側で基地局１０５−ａに確実に送信しないことがある。
【００４８】
[0055]ＵＥ１１５−ａは、プライマリ信号測定値とダイバーシティ信号測定値との比較に基づいて、ＵＬ／ＤＬ不均衡を検出し得る。ＵＥ１１５−ａが、ダイバーシティ信号測定値が、不均衡しきい値よりも大きい量だけプライマリ信号測定値よりも大きいと識別した場合、ＵＥ１１５−ａは、接続モードにおけるモビリティ報告イベントトリガリングまたはアイドルモードにおけるセル再選択を含み得る、モビリティプロシージャのためにプライマリ信号測定値を使用し得る。いくつかの場合には、ＵＥ１１５−ａは、プライマリ信号測定値が信号測定しきい値を下回ると決定した後に、ＵＬ／ＤＬ不均衡状態を識別するにすぎないことがある。
【００４９】
[0056]ＵＥ１１５−ａはまた、基地局１０５−ｂの通信範囲内にあり得、送信カバレージエリア４２０−ｂによって示されるように、受信することと基地局１０５−ｂに確実に送信することの両方が可能であり得る。この例では、ＵＥ１１５−ａは、モビリティ報告のためにプライマリ信号測定値をモニタし得、プライマリ信号測定値がモビリティイベントしきい値を下回ったこと（たとえば、イベントＡ１〜Ａ５、Ｂ１、および／またはＢ２）を決定し得る。したがって、ＵＥ１１５−ａは、基地局１０５−ａにモビリティイベント情報を報告し得る。この例では、ＵＥ１１５−ａは、モビリティ報告イベント（たとえば、Ａ２、Ｂ２など）がトリガされたことを報告し得、基地局１０５−ａは、モビリティプロシージャ（たとえば、ネイバーセル情報の更新、基地局１０５−ｂへのハンドオーバＵＥ１１５−ａなど）をトリガするために、モビリティイベント報告を使用し得る。基地局１０５−ｂに接続するためにハンドオーバコマンドを受信すると、ＵＥ１１５−ａは、次いで、通信リンク４１５を介して基地局１０５−ｂと通信し始め得る。より弱いプライマリ信号測定値を使用することによって、ＵＥ１１５−ａは、より強いダイバーシティ信号測定値に対して基地局１０５−ａによるハンドオーバ決定を加速し得る。このようにして、ＵＥ１１５−ａは、低減されたレイテンシでより強いセル（たとえば、より強い信号、より良いジオメトリなどをもつセル）に移動し得るので、ＵＥ１１５−ａにおける電力消費が低減され得る。たとえば、プライマリ信号測定値は、より強いダイバーシティ信号測定値に対して、より早期にモビリティイベントＡ２を満たし得る。ＳＲＶＣＣハンドオーバの場合、ＵＥ１１５−ａは、低減されたレイテンシで好ましいセル（たとえば、より低い送信電力レベルにおける送信範囲内のセル）に移動し、それにより、呼連続性を維持するか、または呼品質における中断を低減し得る。たとえば、プライマリ信号測定値は、より早期にモビリティイベントＡ２基準を満たし得、これは、ネットワークがよりすぐにモビリティイベントＢ２を構成することを可能にし得る。
【００５０】
[0057]ＵＥ１１５−ａがアイドル状態にある場合、ＵＥ１１５−ａは、他のセル（たとえば、基地局１０５−ｂに関連するセル）の探索をトリガするために、ＵＬ／ＤＬ不均衡の検出に基づいて、選択された信号測定値を使用し得る。別のセルに関連する信号測定値がいくつかの基準（たとえば、サービングセルよりも大きい、しきい値よりも大きいなど）を満たす場合、ＵＥ１１５−ａは、通信のためにそのセルを選択し、それにキャンプオンし得る。たとえば、ＵＥ１１５−ａは、基地局１０５−ｂに関連するセルが再選択候補であると決定し得、基地局１０５−ｂに接続し、接続モードに入ると、通信リンク４１５を介して基地局１０５−ｂと通信し始め得る。プライマリ信号測定値がダイバーシティ信号測定値よりも弱い場合、他のセルの探索がよりすぐに選択され得、これは、ＵＥ１１５が、より急速に、基地局１０５−ｂに関連するより良いセルを見つけ、それにキャンプオンすることを可能にする。
【００５１】
[0058]図５は、本開示の様々な態様による、ＵＬ／ＤＬ不均衡シナリオにおける接続性能問題に対処することの一例を示すタイミング図５００を示す。タイミング図５００は、図１、図２、および図４を参照しながら上記で説明されたように、ＵＥ１１５など、デバイスの動作を示し得る。一例では、ＵＥは、プライマリアンテナ５０５−ａおよびダイバーシティアンテナ５０５−ｂにおいて信号を受信し得る。プライマリ信号測定値５１０−ａがプライマリアンテナ５０５−ａに関連し得、タイミング図５００は、経時的なプライマリ信号測定値５１０−ａの変化を示す。ダイバーシティ信号測定値５１０−ｂが、同様に、ダイバーシティアンテナ５０５−ｂに関連し得る。不均衡測定値５２０が、プライマリ信号測定値５１０−ａとダイバーシティ信号測定値５１０−ｂとの間の差に関連し得る。信号測定しきい値５１５および不均衡しきい値５２５が、モビリティプロシージャおよび／または測定報告のためにどの信号測定値を使用すべきかを決定するために、ＵＥによって使用され得る。
【００５２】
[0059]時間５３０より前に、タイミング図５００に示されている例では、プライマリ信号測定値５１０−ａは信号測定しきい値５１５よりも大きく、ＵＥは、モビリティプロシージャ、モビリティイベントトリガリング、および／または測定報告のために、プライマリ信号測定値５１０−ａまたはダイバーシティ信号測定値５１０−ｂのうちのより強いものを使用する。経時的にプライマリアンテナ５０５−ａは損なわれ得、プライマリ信号測定値５１０−ａは減少し、５３０において、プライマリ信号測定値５１０−ａは信号測定しきい値５１５を下回り得るが、ダイバーシティ信号測定値５１０−ｂは不変である。この場合、ＵＥは、図４を参照しながら概略的に説明されたように、ＵＥがダイバーシティアンテナ５０５−ｂを介して信号を受信し得るが、プライマリアンテナ５０５−ａを介して基地局に確実に送信することができないので、ＵＬ／ＤＬ不均衡を経験し得る。いくつかの場合には、ＵＥは、持続時間の間、プライマリ信号測定値５１０−ａが信号測定しきい値５１５を下回ることを検出し得る。プライマリ信号測定値５１０−ａと信号測定しきい値５１５との比較は、ヒステリシスをさらに含み得る（たとえば、ヒステリシスは、プライマリ信号測定値５１０−ａが信号測定しきい値５１５を下回った後に信号測定しきい値５１５に追加され得る）。プライマリ信号測定値５１０−ａが信号測定しきい値５１５を下回ったことの検出の後に、ＵＥは、プライマリ信号測定値５１０−ａとダイバーシティ信号測定値５１０−ｂとの間の不均衡測定値５２０が不均衡しきい値５２５よりも大きいかどうかを決定し得る。
【００５３】
[0060]時間５３５において、ＵＥは、不均衡測定値５２０が不均衡しきい値５２５を上回った（たとえば、ダイバーシティ信号測定値５１０−ｂが不均衡しきい値５２５超だけプライマリ信号測定値５１０−ａよりも大きい）ことを識別し得る。ＵＥは、同様に、不均衡しきい値５２５が満たされたことを確認する前に持続時間待ち得、不均衡しきい値５２５もヒステリシスを含み得る。信号測定値と不均衡しきい値の両方が満たされたと決定した後に、ＵＥは、モビリティ報告イベントをトリガするためにおよび／またはモビリティプロシージャを初期化するために、プライマリ信号測定値５１０−ａを選択し得る。たとえば、ＵＥは、モビリティ報告イベント状態が満たされたかどうかを決定するために、プライマリ信号測定値５１０−ａを使用し得る。時間５４０において、不均衡測定値５２０は、不均衡しきい値５２５を下回り得、ＵＥは、モビリティプロシージャおよび／または測定報告のために、プライマリ信号測定値５１０−ａまたはダイバーシティ信号測定値５１０−ｂのうちのより強いものを使用し得る。時間５４５において、プライマリ信号測定値は信号測定しきい値５１５を上回って上昇し得、ＵＥは、信号測定しきい値５１５が再び満たされるまで、不均衡測定値５２０をモニタすることを停止させ得る。
【００５４】
[0061]図６は、本開示の様々な態様による、ＵＬ／ＤＬ不均衡シナリオにおける接続性能問題に対処するためのマルチアンテナデバイス２００の構成要素であり得る、ＵＬ／ＤＬ不均衡マネージャ２３０−ａのブロック図６００を示す。ＵＬ／ＤＬ不均衡マネージャ２３０−ａは、図２〜図５を参照しながら説明されたＵＬ／ＤＬ不均衡マネージャ２３０の態様の一例であり得る。ＵＬ／ＤＬ不均衡マネージャ２３０−ａは、不均衡マネージャ６０２と、不均衡識別器６０５と、レベル識別器６１０と、信号セレクタ６１５と、モビリティマネージャ６２０とを含み得る。
【００５５】
[0062]ＵＬ／ＤＬ不均衡マネージャ２３０−ａは、プライマリアンテナから第１の信号／信号測定値６０３−ａを受信し、ダイバーシティアンテナから第２の信号／信号測定値６０３−ｂを受信し得る。いくつかの場合には、信号測定値６０３は、不均衡マネージャ６０２、不均衡識別器６０５、レベル識別器６１０、信号セレクタ６１５、および／またはモビリティマネージャ６２０のうちのいずれかに受け渡され得る。構成要素の各々は、以下で説明されるように、後続の動作において信号測定値を使用し得る。
【００５６】
[0063]不均衡マネージャ６０２は、不均衡識別器６０５とレベル識別器６１０とを含み得る。不均衡識別器６０５は、図２〜図５を参照しながら説明されたように、第１のアンテナを介して受信された信号の第１の信号測定値（たとえば、プライマリアンテナからの信号測定値６０３−ａ）と第２のアンテナを介して受信された信号の第２の信号測定値（たとえば、ダイバーシティアンテナからの信号測定値６０３−ｂ）との間の不均衡を識別し得る。たとえば、不均衡識別器６０５は、たとえば、識別された不均衡（たとえば、不均衡の大きさ、不均衡が識別されたというインジケーション、不均衡の大きさに関連するインデックスなど）を不均衡しきい値と比較することによって、第１の信号測定値が、不均衡しきい値よりも大きいかまたはそれに等しい量だけ第２の信号測定値よりも小さいと決定し得る。いくつかの例では、不均衡しきい値は、第１の信号測定値、第２の信号測定値、モビリティ報告しきい値、またはモビリティ報告ヒステリシスのうちの１つまたは複数に少なくとも部分的に基づいて動的に調整され得る。不均衡識別器６０５は、第１のアンテナを介して受信された非サービングセル（たとえば、ネイバリングセル）からの第２の信号の第３の信号測定値と、第２のアンテナを介して受信された第２の信号の第４の信号測定値との間の第２の不均衡をさらに識別し得る。
【００５７】
[0064]レベル識別器６１０は、たとえば、第１の信号測定値の大きさを信号測定しきい値と比較することによって、第１の信号測定値が信号測定しきい値を下回るかどうかを識別し得る。不均衡マネージャ６０２は、識別された不均衡に関連する上記の比較の１つまたは複数の結果６１２を信号セレクタ６１５に受け渡し得る。
【００５８】
[0065]信号セレクタ６１５は、図２〜図５を参照しながら説明されたように、受信された結果６１２に少なくとも部分的に基づいて、モビリティイベント報告のための信号測定値を選択し得る。サービングセルについて、プライマリアンテナからの信号測定値（たとえば、第１の信号測定値６０３−ａ）は、（たとえば、不均衡状態が検出され、および／または第１の信号測定値が信号測定しきい値を下回る場合）モビリティイベント報告のために選択され得る。いくつかの例では、モビリティイベント報告のためにサービングセルのための信号測定値（たとえば、プライマリアンテナからの第１の信号測定値６０３−ａまたはダイバーシティアンテナからの第２の信号測定値６０３−ｂ）を選択することは、第１の信号測定値６０３−ａが、所定の数の測定について、不均衡しきい値よりも大きいかまたはそれに等しい量だけ第２の信号測定値６０３−ｂよりも小さかったことを示す結果６１２を不均衡識別器６０５から受信することに基づく。いくつかの例では、第１の信号測定値６０３−ａを選択することは、不均衡識別器６０５が、第１の信号測定値と第２の信号測定値との間の不均衡が検出されたことを示すことに加えて、レベル識別器６１０が、第１の信号測定値６０３−ａが信号測定しきい値を下回ることを示すことに少なくとも部分的に基づき得る。ネイバリングセル測定値について、信号セレクタ６１５は、不均衡識別器６０５が、プライマリアンテナからの信号測定値が、第２の不均衡しきい値よりも大きいかまたはそれに等しい量だけ、ダイバーシティアンテナからのネイバリングセルの信号測定値（たとえば、第４の信号測定値）よりも小さいと決定することに基づいて、モビリティイベント動作のために、プライマリアンテナからのネイバリングセルの信号測定値（たとえば、第３の信号測定値）をも選択し得る。信号セレクタ６１５は、図２〜図５を参照しながら説明されたように、選択された信号測定値６１７をモビリティマネージャ６２０に受け渡し得る。
【００５９】
[0066]モビリティマネージャ６２０は、図２〜図５を参照しながら説明されたように、選択された信号測定値６１７と１つまたは複数のモビリティ報告しきい値との比較に少なくとも部分的に基づいて、モビリティイベントの報告をトリガし得る。たとえば、サービングセルのための選択された信号測定値６１７（＋ヒステリシス）がＡ２モビリティイベントのためのしきい値よりも小さい場合、Ａ２イベントの報告がトリガされ得る。追加または代替として、モビリティマネージャ６２０は、選択された信号測定値６１７に基づいて、サービングセル信号測定値およびネイバリングセル信号測定値（たとえば、Ａ３、Ｂ２など）に基づいて、モビリティイベントの報告をトリガし得る。モビリティマネージャ６２０は、モビリティ報告イベント６２３を（たとえば、ＰＨＹレイヤプロセッサ２２５を介して）送信機に受け渡し得、送信機は、モビリティイベントを基地局に送信し得る。
【００６０】
[0067]図７は、本開示の様々な態様による、ＵＬ／ＤＬ不均衡シナリオにおける接続性能問題に対処するために構成されたＵＥ１１５−ｂを含むシステム７００を示す。システム７００は、図１、図２、および図４を参照しながら説明されたマルチアンテナデバイス２００またはＵＥ１１５の一例であり得る、ＵＥ１１５−ｂを含み得る。ＵＥ１１５−ｂは、図２または図６を参照しながら説明されたＵＬ／ＤＬ不均衡マネージャ２３０の一例であり得る、ＵＬ／ＤＬ不均衡マネージャ７１０を含み得る。ＵＥ１１５−ｂは、通信を送信するための構成要素と通信を受信するための構成要素とを含む、双方向音声およびデータ通信のための構成要素をも含み得る。たとえば、ＵＥ１１５−ｂは、ＵＥ１１５−ｃまたは基地局１０５−ｃと双方向に通信し得る。
【００６１】
[0068]ＵＥ１１５−ｂは、プロセッサ７０５と、（ソフトウェア（ＳＷ）を含む）７２０メモリ７１５と、トランシーバ７３５と、１つまたは複数のアンテナ７４０とをも含み得、その各々は、（たとえば、バス７４５を介して）互いと直接または間接的に通信し得る。トランシーバ７３５は、上記で説明されたように、（１つまたは複数の）アンテナ７４０あるいはワイヤードリンクまたはワイヤレスリンクを介して、１つまたは複数のネットワークと双方向に通信し得る。たとえば、トランシーバ７３５は、基地局１０５または別のＵＥ１１５と双方向に通信し得る。トランシーバ７３５は、パケットを変調し、変調されたパケットを送信のために（１つまたは複数の）アンテナ７４０に与え、（１つまたは複数の）アンテナ７４０から受信されたパケットを復調するためのモデムを含み得る。ＵＥ１１５−ｂは単一のアンテナ７４０を含み得るが、ＵＥ１１５−ｂはまた、複数のワイヤレス送信を同時に送信または受信することが可能な複数のアンテナ７４０を有し得る。
【００６２】
[0069]メモリ７１５は、ランダムアクセスメモリ（ＲＡＭ）および読取り専用メモリ（ＲＯＭ）を含み得る。メモリ７１５は、実行されたとき、プロセッサ７０５に本明細書で説明される様々な機能（たとえば、ＵＬ／ＤＬ不均衡シナリオにおける接続性能問題に対処するための方法など）を実行させる命令を含むコンピュータ可読、コンピュータ実行可能ソフトウェア／ファームウェアコード７２０を記憶し得る。代替的に、ソフトウェア／ファームウェアコード７２０は、プロセッサ７０５によって直接的に実行可能でないことがあるが、（たとえば、コンパイルされ、実行されたとき）コンピュータに本明細書で説明される機能を実行させ得る。プロセッサ７０５は、インテリジェントハードウェアデバイス（たとえば、中央処理ユニット（ＣＰＵ）、マイクロコントローラ、特定用途向け集積回路（ＡＳＩＣ）など）を含み得る。
【００６３】
[0070]マルチアンテナデバイス２００の構成要素、およびＵＬ／ＤＬ不均衡マネージャ２３０、７１０は、適用可能な機能の一部または全部をハードウェアで実行するように適応された少なくとも１つのＡＳＩＣを用いて、個々にまたはまとめて実装され得る。代替的に、それらの機能は、１つまたは複数の他の処理ユニット（またはコア）によって、少なくとも１つのＩＣ上で実行され得る。他の例では、当技術分野で知られている任意の様式でプログラムされ得る、他のタイプの集積回路（たとえば、ストラクチャード／プラットフォームＡＳＩＣ、フィールドプログラマブルゲートアレイ（ＦＰＧＡ）、または別のセミカスタムＩＣ）が使用され得る。各ユニットの機能はまた、全体的または部分的に、１つまたは複数の汎用または特定用途向けプロセッサによって実行されるようにフォーマットされた、メモリ中に組み込まれた命令を用いて実装され得る。
【００６４】
[0071]本明細書の説明は、例を与えるものであり、特許請求の範囲に記載される範囲、適用可能性、または例を限定するものではない。本開示の範囲から逸脱することなく、説明される要素の機能および構成において変更が行われ得る。様々な例は、適宜に様々なプロシージャまたは構成要素を省略、置換、または追加し得る。また、いくつかの例に関して説明される特徴は、他の例において組み合わせられ得る。
【００６５】
[0072]本明細書で説明される技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムなど、様々なワイヤレス通信システムのために使用され得る。「システム」および「ネットワーク」という用語は、しばしば互換的に使用される。符号分割多元接続（ＣＤＭＡ）システムは、ＣＤＭＡ２０００、ユニバーサル地上波無線アクセス（ＵＴＲＡ：Universal Terrestrial Radio Access）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標）：Wideband CDMA）およびＣＤＭＡの他の変形態を含む。時分割多元接続（ＴＤＭＡ）システムは、モバイル通信用グローバルシステム（ＧＳＭ（登録商標）：Global System for Mobile Communications）などの無線技術を実装し得る。直交周波数分割多元接続（ＯＦＤＭＡ）システムは、ウルトラモバイルブロードバンド（ＵＭＢ）、発展型ＵＴＲＡ（Ｅ−ＵＴＲＡ：Evolved UTRA）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭなどの無線技術を実装し得る。ＵＴＲＡおよびＥ−ＵＴＲＡはユニバーサルモバイルテレコミュニケーションズシステム（ＵＭＴＳ）の一部である。３ＧＰＰ（登録商標）ロングタームエボリューション（ＬＴＥ）およびＬＴＥアドバンスト（ＬＴＥ−ａ）は、Ｅ−ＵＴＲＡを使用するユニバーサルモバイルテレコミュニケーションズシステム（ＵＭＴＳ）の新しいリリースである。ＵＴＲＡ、Ｅ−ＵＴＲＡ、ユニバーサルモバイルテレコミュニケーションズシステム（ＵＭＴＳ）、ＬＴＥ、ＬＴＥ−ａ、およびモバイル通信用グローバルシステム（ＧＳＭ）は、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明される技法は、上記のシステムおよび無線技術、ならびに他のシステムおよび無線技術に使用され得る。ただし、本明細書の説明は、例としてＬＴＥシステムについて説明し、上記の説明の大部分においてＬＴＥ用語が使用されるが、本技法はＬＴＥ適用例以外に適用可能である。
【００６６】
[0073]本明細書で説明されるそのようなネットワークを含むＬＴＥ／ＬＴＥ−ａネットワークでは、発展型ノードＢ（ｅＮＢ）という用語は、概して、基地局を表すために使用され得る。本明細書で説明された１つまたは複数のワイヤレス通信システムは、異なるタイプのｅＮＢが様々な地理的領域にカバレージを与える、異種ＬＴＥ／ＬＴＥ−ａネットワークを含み得る。たとえば、各ｅＮＢまたは基地局は、マクロセル、スモールセル、または他のタイプのセルに通信カバレージを与え得る。「セル」という用語は、コンテキストに応じて、基地局、基地局に関連するキャリアまたはコンポーネントキャリア、あるいはキャリアまたは基地局のカバレージエリア（たとえば、セクタなど）を表すために使用され得る３ＧＰＰ用語である。
【００６７】
[0074]基地局は、基地トランシーバ局、無線基地局、アクセスポイント、無線トランシーバ、ノードＢ、ｅノードＢ（ｅＮＢ）、ホームノードＢ、ホームｅノードＢ、または何らかの他の好適な用語を含み得るか、あるいはそのように当業者によって呼ばれることがある。基地局のための地理的カバレージエリアは、カバレージエリアの一部分のみを構成するセクタに分割され得る。本明細書で説明された１つまたは複数のワイヤレス通信システムは、異なるタイプの基地局（たとえば、マクロセル基地局またはスモールセル基地局）を含み得る。本明細書で説明されたＵＥは、マクロｅＮＢ、スモールセルｅＮＢ、リレー基地局などを含む、様々なタイプの基地局およびネットワーク機器と通信することが可能であり得る。異なる技術のための重複する地理的カバレージエリアがあり得る。
【００６８】
[0075]マクロセルは、概して、比較的大きい地理的エリア（たとえば、半径数キロメートル）をカバーし、ネットワークプロバイダのサービスに加入しているＵＥによる無制限アクセスを可能にし得る。スモールセルは、マクロセルと比較して、マクロセルと同じまたは異なる（たとえば、認可、無認可などの）周波数帯域内で動作し得る、低電力基地局である。スモールセルは、様々な例によれば、ピコセルと、フェムトセルと、マイクロセルとを含み得る。ピコセルは、たとえば、小さい地理的エリアをカバーし得、ネットワークプロバイダのサービスに加入しているＵＥによる無制限アクセスを可能にし得る。フェムトセルは、小さい地理的エリア（たとえば、自宅）を同じくカバーし得、フェムトセルとの関連を有するＵＥ（たとえば、限定加入者グループ（ＣＳＧ）中のＵＥ、自宅内のユーザのためのＵＥなど）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢ、またはホームｅＮＢと呼ばれることがある。ｅＮＢは、１つまたは複数の（たとえば、２つ、３つ、４つなどの）セル（たとえば、コンポーネントキャリア）をサポートし得る。ＵＥは、マクロｅＮＢ、スモールセルｅＮＢ、リレー基地局などを含む、様々なタイプの基地局およびネットワーク機器と通信することが可能であり得る。
【００６９】
[0076]本明細書で説明された１つまたは複数のワイヤレス通信システムは、同期動作または非同期動作をサポートし得る。同期動作の場合、基地局は同様のフレームタイミングを有し得、異なる基地局からの送信は近似的に時間的に整合され得る。非同期動作の場合、基地局は異なるフレームタイミングを有し得、異なる基地局からの送信は時間的に整合されないことがある。本明細書で説明された技法は、同期動作または非同期動作のいずれかのために使用され得る。
【００７０】
[0077]本明細書で説明されたダウンリンク送信は順方向リンク送信と呼ばれることもあり、アップリンク送信は逆方向リンク送信と呼ばれることもある。たとえば、図１および図４のワイヤレス通信システム１００およびワイヤレス通信サブシステム４００を含む、本明細書で説明される各通信リンクは、１つまたは複数のキャリアを含み得、ここで、各キャリアは、複数のサブキャリアからなる信号（たとえば、異なる周波数の波形信号）であり得る。各被変調信号は、異なるサブキャリア上で送られ得、制御情報（たとえば、基準信号、制御チャネルなど）、オーバーヘッド情報、ユーザデータなどを搬送し得る。本明細書で説明される通信リンク（たとえば、図１の通信リンク１２５）は、周波数分割複信（ＦＤＤ）を使用して（たとえば、対スペクトルリソースを使用して）または時分割複信（ＴＤＤ）動作を使用して（たとえば、不対スペクトルリソースを使用して）双方向通信を送信し得る。周波数分割複信（ＦＤＤ）（たとえば、フレーム構造タイプ１）およびＴＤＤ（たとえば、フレーム構造タイプ２）のためのフレーム構造が定義され得る。
【００７１】
[0078]添付の図面に関して本明細書に記載される説明は、例示的な構成について説明しており、実装され得るまたは特許請求の範囲内に入るすべての例を表すとは限らない。本明細書で使用される「例示的」という用語は、「例、事例、または例示の働きをすること」を意味し、「好ましい」または「他の例よりも有利な」を意味しない。詳細な説明は、説明された技法の理解を与えるための具体的な詳細を含む。ただし、これらの技法は、これらの具体的な詳細なしに実施され得る。いくつかの事例では、説明された例の概念を不明瞭にすることを回避するために、よく知られている構造およびデバイスがブロック図の形式で示される。
【００７２】
[0079]添付の図では、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが本明細書において使用される場合、その説明は、第２の参照ラベルにかかわらず、同じ第１の参照ラベルを有する同様の構成要素のいずれにも適用可能である。
【００７３】
[0080]本明細書で説明される情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００７４】
[0081]本明細書の開示に関して説明される様々な例示的なブロックおよびモジュールは、汎用プロセッサ、ＤＳＰ、ＡＳＩＣ、ＦＰＧＡまたは他のプログラマブル論理デバイス、個別ゲートまたはトランジスタ論理、個別ハードウェア構成要素、あるいは本明細書で説明される機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、またはステートマシンであり得る。プロセッサは、コンピューティングデバイスの組合せ（たとえば、デジタル信号プロセッサ（ＤＳＰ）とマイクロプロセッサとの組合せ、複数のマイクロプロセッサ、ＤＳＰコアと連携する１つまたは複数のマイクロプロセッサ、または任意の他のそのような構成）としても実装され得る。
【００７５】
[0082]本明細書で説明される機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとして、コンピュータ可読媒体上に記憶されるか、またはコンピュータ可読媒体を介して送信され得る。他の例および実装形態は、本開示および添付の特許請求の範囲および趣旨内に入る。たとえば、ソフトウェアの性質により、上記で説明された機能は、プロセッサによって実行されるソフトウェア、ハードウェア、ファームウェア、ハードワイヤリング、またはこれらのうちのいずれかの組合せを使用して実装され得る。機能を実装する特徴はまた、機能の部分が、異なる物理的ロケーションにおいて実装されるように分散されることを含めて、様々な位置に物理的に配置され得る。特許請求の範囲を含めて、本明細書で使用される場合、２つ以上の項目の列挙中で使用されるとき、「および／または」という用語は、列挙された項目のうちのいずれか１つが単独で採用され得ること、または列挙された項目のうちの２つ以上の任意の組合せが採用され得ることを意味する。たとえば、組成が、構成要素Ａ、Ｂ、および／またはＣを含んでいると記述されている場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【００７６】
[0083]コンピュータ可読媒体は、ある場所から別の場所へのコンピュータプログラムの転送を可能にする任意の媒体を含む、非一時的コンピュータ記憶媒体と通信媒体の両方を含む。非一時的記憶媒体は、汎用または専用コンピュータによってアクセスされ得る任意の利用可能な媒体であり得る。限定ではなく例として、非一時的コンピュータ可読媒体は、ＲＡＭ、ＲＯＭ、電気的消去可能プログラマブル読取り専用メモリ（ＥＥＰＲＯＭ（登録商標））、コンパクトディスク（ＣＤ）ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の非一時的媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、デジタル加入者回線（ＤＳＬ）、または赤外線、無線、およびマイクロ波などのワイヤレス技術は、媒体の定義に含まれる。本明細書で使用されるディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【００７７】
[0084]本明細書の説明は、当業者が本開示を作成または使用することができるように与えられた。本開示への様々な変更は当業者には容易に明らかとなり、本明細書で定義された一般原理は、本開示の範囲から逸脱することなく他の変形形態に適用され得る。したがって、本開示は、本明細書で説明される例および設計に限定されるべきでなく、本明細書で開示される原理および新規の特徴に合致する最も広い範囲を与えられるべきである。
【図１】
2018533258.tif 000003
【図２】
2018533258.tif 000004
【図３】
2018533258.tif 000005
【図４】
2018533258.tif 000006
【図５】
2018533258.tif 000007
【図６】
2018533258.tif 000008
【図７】
2018533258.tif 000009
【手続補正書】
【提出日】平成30年5月2日(2018.5.2)
【手続補正１】
【補正対象書類名】特許請求の範囲
【補正対象項目名】全文
【補正方法】変更
【補正の内容】
【特許請求の範囲】
【請求項１】
ユーザ機器におけるワイヤレス通信の方法であって、
基地局のサービングセルとの接続モードにある間、前記ユーザ機器の第１のアンテナおよび第２のアンテナを介して信号を受信すること、ここにおいて、前記第２のアンテナは、前記ユーザ機器の送信チェーンに関連しない、と、
前記第１のアンテナを介して受信された前記信号の第１の信号測定値と、前記第２のアンテナを介して受信された前記信号の第２の信号測定値との間の不均衡を識別することと、
前記識別された不均衡を不均衡しきい値と比較することと、
前記比較の結果に少なくとも部分的に基づいて、モビリティイベント報告のために前記第１の信号測定値または前記第２の信号測定値を選択することと
を備える、方法。
【請求項２】
前記第１の信号測定値は、前記不均衡しきい値よりも大きいかまたはそれに等しい量だけ前記第２の信号測定値よりも小さいと決定することをさらに備え、
前記第１の信号測定値は、前記モビリティイベント報告のために選択される、
請求項１に記載の方法。
【請求項３】
前記第１の信号測定値と１つまたは複数のモビリティ報告しきい値との比較の結果に少なくとも部分的に基づいて、モビリティイベントの報告をトリガすることをさらに備える、
請求項２に記載の方法。
【請求項４】
前記第１のアンテナを介して非サービングセルから第２の信号を受信することと、
前記決定することに基づいて、前記モビリティイベント報告における利用のために前記第２の信号の第３の信号測定値を選択することと
をさらに備える、請求項２に記載の方法。
【請求項５】
前記第１の信号測定値を信号測定しきい値と比較することをさらに備え、
前記第１の信号測定値を前記選択することは、前記第１の信号測定値が前記信号測定しきい値を下回ると識別することにさらに基づく、
請求項２に記載の方法。
【請求項６】
前記第１のアンテナおよび前記第２のアンテナを介して非サービングセルから第２の信号を受信することと、
前記第１のアンテナを介して受信された前記第２の信号の第３の信号測定値と、前記第２のアンテナを介して受信された前記第２の信号の第４の信号測定値との間の第２の不均衡を識別することと、
前記第２の不均衡と第２の不均衡しきい値との比較の結果に基づいて、前記モビリティイベント報告のために前記第３の信号測定値または前記第４の信号測定値を選択することと
をさらに備える、請求項１に記載の方法。
【請求項７】
前記第３の信号測定値は、前記第２の不均衡しきい値よりも大きいかまたはそれに等しい量だけ前記第４の信号測定値よりも小さいと決定することをさらに備え、
前記第３の信号測定値は、前記モビリティイベント報告のために選択される、
請求項６に記載の方法。
【請求項８】
前記モビリティイベント報告のために前記第１の信号測定値または前記第２の信号測定値を前記選択することは、前記第１の信号測定値が、所定の数の測定について、前記不均衡しきい値よりも大きいかまたはそれに等しい量だけ前記第２の信号測定値よりも小さいと決定することを備える、
請求項１に記載の方法。
【請求項９】
前記不均衡しきい値は、前記第１の信号測定値、前記第２の信号測定値、モビリティ報告しきい値、またはモビリティ報告ヒステリシスのうちの１つまたは複数に少なくとも部分的に基づいて動的に調整される、
請求項１に記載の方法。
【請求項１０】
ユーザ機器におけるワイヤレス通信のための装置であって、
基地局のサービングセルとの接続モードにある間、前記ユーザ機器の第１のアンテナおよび第２のアンテナを介して信号を受信するための手段、ここにおいて、前記第２のアンテナは、前記ユーザ機器の送信チェーンに関連しない、と、
前記第１のアンテナを介して受信された前記信号の第１の信号測定値と、前記第２のアンテナを介して受信された前記信号の第２の信号測定値との間の不均衡を識別するための手段と、
前記識別された不均衡を不均衡しきい値と比較するための手段と、
前記比較の結果に少なくとも部分的に基づいて、モビリティイベント報告のために前記第１の信号測定値または前記第２の信号測定値を選択するための手段と
を備える、装置。
【請求項１１】
前記第１の信号測定値は、前記不均衡しきい値よりも大きいかまたはそれに等しい量だけ前記第２の信号測定値よりも小さいと決定するための手段をさらに備え、
前記第１の信号測定値は、前記モビリティイベント報告のために選択される、
請求項１０に記載の装置。
【請求項１２】
前記第１の信号測定値と１つまたは複数のモビリティ報告しきい値との比較の結果に少なくとも部分的に基づいて、モビリティイベントの報告をトリガするための手段をさらに備える、
請求項１１に記載の装置。
【請求項１３】
前記受信するための手段は、非サービングセルから第２の信号を受信し、
前記選択するための手段は、前記決定することに基づいて、モビリティイベントの報告をトリガするために前記第１の信号測定値との比較のために前記第２の信号の第３の信号測定値を選択する、
請求項１１に記載の装置。
【請求項１４】
前記第１の信号測定値を信号測定しきい値と比較するための手段をさらに備え、
前記第１の信号測定値を前記選択することは、前記第１の信号測定値が前記信号測定しきい値を下回ると識別することにさらに基づく、
請求項１１に記載の装置。
【請求項１５】
前記モビリティイベント報告のために前記第１の信号測定値または前記第２の信号測定値を前記選択するための手段は、前記第１の信号測定値が、所定の数の測定について、前記不均衡しきい値よりも大きいかまたはそれに等しい量だけ前記第２の信号測定値よりも小さいと決定することに基づいて、前記第１の信号測定値を選択する、
請求項１０に記載の装置。
【請求項１６】
前記第１の信号測定値、前記第２の信号測定値、モビリティ報告しきい値、またはモビリティ報告ヒステリシスのうちの１つまたは複数に少なくとも部分的に基づいて動的に前記不均衡しきい値を調整するための手段をさらに備える、
請求項１０に記載の装置。
【請求項１７】
ユーザ機器におけるワイヤレス通信のための装置であって、
プロセッサと、
前記プロセッサと電子通信しているメモリと、
前記メモリに記憶された命令と
を備え、前記命令は、前記プロセッサによって実行されると、前記装置に、
基地局のサービングセルとの接続モードにある間、前記ユーザ機器の第１のアンテナおよび第２のアンテナを介して信号を受信すること、ここにおいて、前記第２のアンテナは、前記ユーザ機器の送信チェーンに関連しない、と、
前記第１のアンテナを介して受信された前記信号の第１の信号測定値と、前記第２のアンテナを介して受信された前記信号の第２の信号測定値との間の不均衡を識別することと、
前記識別された不均衡を不均衡しきい値と比較することと、
前記比較の結果に少なくとも部分的に基づいて、モビリティイベント報告のために前記第１の信号測定値または前記第２の信号測定値を選択することと
を行わせるように動作可能である、装置。
【請求項１８】
前記命令は、前記プロセッサに、
前記第１の信号測定値が、前記不均衡しきい値よりも大きいかまたはそれに等しい量だけ前記第２の信号測定値よりも小さいと決定することを行わせるように動作可能であり、
前記第１の信号測定値は、前記モビリティイベント報告のために選択される、
請求項１７に記載の装置。
【請求項１９】
前記命令は、前記プロセッサに、
前記第１の信号測定値と１つまたは複数のモビリティ報告しきい値との比較の結果に少なくとも部分的に基づいて、モビリティイベントの報告をトリガすることを行わせるように動作可能である、
請求項１８に記載の装置。
【請求項２０】
前記命令は、前記プロセッサに、
前記第１のアンテナを介して非サービングセルから第２の信号を受信することと、
前記決定することに基づいて、前記モビリティイベント報告における利用のために前記第２の信号の第３の信号測定値を選択することを行わせるように動作可能である、
請求項１８に記載の装置。
【請求項２１】
前記命令は、前記プロセッサに、
前記第１の信号測定値を信号測定しきい値と比較することを行わせるように動作可能であり、
前記第１の信号測定値を前記選択することは、前記第１の信号測定値が前記信号測定しきい値を下回ると識別することにさらに基づく、
請求項１８に記載の装置。
【請求項２２】
前記命令は、前記プロセッサに、
前記第１の信号測定値が、所定の数の測定について、前記不均衡しきい値よりも大きいかまたはそれに等しい量だけ前記第２の信号測定値よりも小さいと決定することに基づいて、前記モビリティイベント報告のために前記第１の信号測定値を選択することを行わせるように動作可能である、
請求項１７に記載の装置。
【請求項２３】
前記命令は、前記プロセッサに、
前記第１の信号測定値、前記第２の信号測定値、モビリティ報告しきい値、またはモビリティ報告ヒステリシスのうちの１つまたは複数に少なくとも部分的に基づいて動的に前記不均衡しきい値を調整することを行わせるように動作可能である、
請求項１７に記載の装置。
【請求項２４】
ユーザ機器におけるワイヤレス通信のためのコードを記憶する非一時的コンピュータ可読媒体であって、前記コードは、プロセッサに、
基地局のサービングセルとの接続モードにある間、前記ユーザ機器の第１のアンテナおよび第２のアンテナを介して信号を受信すること、ここにおいて、前記第２のアンテナは、前記ユーザ機器の送信チェーンに関連しない、と、
前記第１のアンテナを介して受信された前記信号の第１の信号測定値と、前記第２のアンテナを介して受信された前記信号の第２の信号測定値との間の不均衡を識別することと、
前記識別された不均衡を不均衡しきい値と比較することと、
前記比較の結果に少なくとも部分的に基づいて、モビリティイベント報告のために前記第１の信号測定値または前記第２の信号測定値を選択することと
を行わせるように実行可能な命令を備える、非一時的コンピュータ可読媒体。
【請求項２５】
前記命令は、前記プロセッサに、
前記第１の信号測定値が、前記不均衡しきい値よりも大きいかまたはそれに等しい量だけ前記第２の信号測定値よりも小さいと決定することを行わせるように実行可能であり、
前記第１の信号測定値は、前記モビリティイベント報告のために選択される、
請求項２４に記載の非一時的コンピュータ可読媒体。
【請求項２６】
前記命令は、前記プロセッサに、
前記第１の信号測定値と１つまたは複数のモビリティ報告しきい値との比較の結果に少なくとも部分的に基づいて、モビリティイベントの報告をトリガすることを行わせるように実行可能である、
請求項２５に記載の非一時的コンピュータ可読媒体。
【請求項２７】
前記命令は、前記プロセッサに、
前記第１のアンテナを介して非サービングセルから第２の信号を受信することと、
前記決定することに基づいて、前記モビリティイベント報告における利用のために前記第２の信号の第３の信号測定値を選択することと
を行わせるように実行可能である、請求項２５に記載の非一時的コンピュータ可読媒体。
【請求項２８】
前記命令は、前記プロセッサに、
前記第１の信号測定値を信号測定しきい値と比較することを行わせるように実行可能であり、
前記第１の信号測定値を前記選択することは、前記第１の信号測定値が前記信号測定しきい値を下回ると識別することにさらに基づく、
請求項２５に記載の非一時的コンピュータ可読媒体。
【請求項２９】
前記命令は、前記プロセッサに、
前記第１の信号測定値が、所定の数の測定について、前記不均衡しきい値よりも大きいかまたはそれに等しい量だけ前記第２の信号測定値よりも小さいと決定することに基づいて、前記モビリティイベント報告のために前記第１の信号測定値を選択することを行わせるように実行可能である、
請求項２４に記載の非一時的コンピュータ可読媒体。
【請求項３０】
前記命令は、前記プロセッサに、
前記第１の信号測定値、前記第２の信号測定値、モビリティ報告しきい値、またはモビリティ報告ヒステリシスのうちの１つまたは複数に少なくとも部分的に基づいて動的に前記不均衡しきい値を調整することを行わせるように実行可能である、
請求項２４に記載の非一時的コンピュータ可読媒体。
【手続補正２】
【補正対象書類名】明細書
【補正対象項目名】００７７
【補正方法】変更
【補正の内容】
【００７７】
[0084]本明細書の説明は、当業者が本開示を作成または使用することができるように与えられた。本開示への様々な変更は当業者には容易に明らかとなり、本明細書で定義された一般原理は、本開示の範囲から逸脱することなく他の変形形態に適用され得る。したがって、本開示は、本明細書で説明される例および設計に限定されるべきでなく、本明細書で開示される原理および新規の特徴に合致する最も広い範囲を与えられるべきである。
以下に、本願出願の当初の特許請求の範囲に記載された発明を付記する。
［Ｃ１］
ユーザ機器におけるワイヤレス通信の方法であって、
基地局のサービングセルとの接続モードにある間、前記ユーザ機器の第１のアンテナおよび第２のアンテナを介して信号を受信すること、ここにおいて、前記第１のアンテナは、前記ユーザ機器の送信チェーンに関連する、と、
前記第１のアンテナを介して受信された前記信号の第１の信号測定値と、前記第２のアンテナを介して受信された前記信号の第２の信号測定値との間の不均衡を識別することと、
前記識別された不均衡を不均衡しきい値と比較することと、
前記比較の結果に少なくとも部分的に基づいて、モビリティイベント報告のために前記第１の信号測定値または前記第２の信号測定値を選択することと
を備える、方法。
［Ｃ２］
前記第１の信号測定値は、前記不均衡しきい値よりも大きいかまたはそれに等しい量だけ前記第２の信号測定値よりも小さいと決定することをさらに備え、
前記第１の信号測定値は、前記モビリティイベント報告のために選択される、
［Ｃ１］に記載の方法。
［Ｃ３］
前記第１の信号測定値と１つまたは複数のモビリティ報告しきい値との比較の結果に少なくとも部分的に基づいて、モビリティイベントの報告をトリガすることをさらに備える、
［Ｃ２］に記載の方法。
［Ｃ４］
前記決定することに基づいて、前記モビリティイベント報告における利用のために前記第１のアンテナを介して受信された非サービングセルからの第２の信号の第３の信号測定値を選択することをさらに備える、
［Ｃ２］に記載の方法。
［Ｃ５］
前記第１の信号測定値を信号測定しきい値と比較することをさらに備え、
前記第１の信号測定値を前記選択することは、前記第１の信号測定値が前記信号測定しきい値を下回ると識別することにさらに基づく、
［Ｃ２］に記載の方法。
［Ｃ６］
前記第１のアンテナを介して受信された非サービングセルからの第２の信号の第３の信号測定値と、前記第２のアンテナを介して受信された前記第２の信号の第４の信号測定値との間の第２の不均衡を識別することと、
前記第２の不均衡と第２の不均衡しきい値との比較の結果に基づいて、前記モビリティイベント報告のために前記第３の信号測定値または前記第４の信号測定値を選択することと
をさらに備える、［Ｃ１］に記載の方法。
［Ｃ７］
前記第３の信号測定値は、前記第２の不均衡しきい値よりも大きいかまたはそれに等しい量だけ前記第４の信号測定値よりも小さいと決定することをさらに備え、
前記第３の信号測定値は、前記モビリティイベント報告のために選択される、
［Ｃ６］に記載の方法。
［Ｃ８］
前記モビリティイベント報告のために前記第１の信号測定値または前記第２の信号測定値を前記選択することは、前記第１の信号測定値が、所定の数の測定について、前記不均衡しきい値よりも大きいかまたはそれに等しい量だけ前記第２の信号測定値よりも小さいと決定することを備える、
［Ｃ１］に記載の方法。
［Ｃ９］
前記不均衡しきい値は、前記第１の信号測定値、前記第２の信号測定値、モビリティ報告しきい値、またはモビリティ報告ヒステリシスのうちの１つまたは複数に少なくとも部分的に基づいて動的に調整される、
［Ｃ１］に記載の方法。
［Ｃ１０］
ユーザ機器におけるワイヤレス通信のための装置であって、
基地局のサービングセルとの接続モードにある間、前記ユーザ機器の第１のアンテナおよび第２のアンテナを介して信号を受信するための手段、ここにおいて、前記第１のアンテナは、前記ユーザ機器の送信チェーンに関連する、と、
前記第１のアンテナを介して受信された前記信号の第１の信号測定値と、前記第２のアンテナを介して受信された前記信号の第２の信号測定値との間の不均衡を識別するための手段と、
前記識別された不均衡を不均衡しきい値と比較するための手段と、
前記比較の結果に少なくとも部分的に基づいて、モビリティイベント報告のために前記第１の信号測定値または前記第２の信号測定値を選択するための手段と
を備える、装置。
［Ｃ１１］
前記第１の信号測定値は、前記不均衡しきい値よりも大きいかまたはそれに等しい量だけ前記第２の信号測定値よりも小さいと決定するための手段をさらに備え、
前記第１の信号測定値は、前記モビリティイベント報告のために選択される、
［Ｃ１０］に記載の装置。
［Ｃ１２］
前記第１の信号測定値と１つまたは複数のモビリティ報告しきい値との比較の結果に少なくとも部分的に基づいて、モビリティイベントの報告をトリガするための手段をさらに備える、
［Ｃ１１］に記載の装置。
［Ｃ１３］
前記決定することに基づいて、モビリティイベントの報告をトリガするために前記第１の信号測定値との比較のために前記第１のアンテナを介して受信された非サービングセルからの第２の信号の第３の信号測定値を選択するための手段をさらに備える、
［Ｃ１１］に記載の装置。
［Ｃ１４］
前記第１の信号測定値を信号測定しきい値と比較するための手段をさらに備え、
前記第１の信号測定値を前記選択することは、前記第１の信号測定値が前記信号測定しきい値を下回ると識別することにさらに基づく、
［Ｃ１１］に記載の装置。
［Ｃ１５］
前記モビリティイベント報告のために前記第１の信号測定値または前記第２の信号測定値を前記選択するための手段は、前記第１の信号測定値が、所定の数の測定について、前記不均衡しきい値よりも大きいかまたはそれに等しい量だけ前記第２の信号測定値よりも小さいと決定することに基づいて、前記第１の信号測定値を選択する、
［Ｃ１０］に記載の装置。
［Ｃ１６］
前記不均衡しきい値は、前記第１の信号測定値、前記第２の信号測定値、モビリティ報告しきい値、またはモビリティ報告ヒステリシスのうちの１つまたは複数に少なくとも部分的に基づいて動的に調整される、
［Ｃ１０］に記載の装置。
［Ｃ１７］
ユーザ機器におけるワイヤレス通信のための装置であって、
プロセッサと、
前記プロセッサと電子通信しているメモリと、
前記メモリに記憶された命令と
を備え、前記命令は、前記プロセッサによって実行されると、前記装置に、
基地局のサービングセルとの接続モードにある間、前記ユーザ機器の第１のアンテナおよび第２のアンテナを介して信号を受信すること、ここにおいて、前記第１のアンテナは、前記ユーザ機器の送信チェーンに関連する、と、
前記第１のアンテナを介して受信された前記信号の第１の信号測定値と、前記第２のアンテナを介して受信された前記信号の第２の信号測定値との間の不均衡を識別することと、
前記識別された不均衡を不均衡しきい値と比較することと、
前記比較の結果に少なくとも部分的に基づいて、モビリティイベント報告のために前記第１の信号測定値または前記第２の信号測定値を選択することと
を行わせるように動作可能である、装置。
［Ｃ１８］
前記命令は、前記プロセッサに、
前記第１の信号測定値が、前記不均衡しきい値よりも大きいかまたはそれに等しい量だけ前記第２の信号測定値よりも小さいと決定することを行わせるように動作可能であり、
前記第１の信号測定値は、前記モビリティイベント報告のために選択される、
［Ｃ１７］に記載の装置。
［Ｃ１９］
前記命令は、前記プロセッサに、
前記第１の信号測定値と１つまたは複数のモビリティ報告しきい値との比較の結果に少なくとも部分的に基づいて、モビリティイベントの報告をトリガすることを行わせるように動作可能である、
［Ｃ１８］に記載の装置。
［Ｃ２０］
前記命令は、前記プロセッサに、
前記決定することに基づいて、前記モビリティイベント報告における利用のために前記第１のアンテナを介して受信された非サービングセルからの第２の信号の第３の信号測定値を選択することを行わせるように動作可能である、
［Ｃ１８］に記載の装置。
［Ｃ２１］
前記命令は、前記プロセッサに、
前記第１の信号測定値を信号測定しきい値と比較することを行わせるように動作可能であり、
前記第１の信号測定値を前記選択することは、前記第１の信号測定値が前記信号測定しきい値を下回ると識別することにさらに基づく、
［Ｃ１８］に記載の装置。
［Ｃ２２］
前記命令は、前記プロセッサに、
前記第１の信号測定値が、所定の数の測定について、前記不均衡しきい値よりも大きいかまたはそれに等しい量だけ前記第２の信号測定値よりも小さいと決定することに基づいて、前記モビリティイベント報告のために前記第１の信号測定値を選択することを行わせるように動作可能である、
［Ｃ１７］に記載の装置。
［Ｃ２３］
前記不均衡しきい値は、前記第１の信号測定値、前記第２の信号測定値、モビリティ報告しきい値、またはモビリティ報告ヒステリシスのうちの１つまたは複数に少なくとも部分的に基づいて動的に調整される、
［Ｃ１７］に記載の装置。
［Ｃ２４］
ユーザ機器におけるワイヤレス通信のためのコードを記憶する非一時的コンピュータ可読媒体であって、前記コードは、
基地局のサービングセルとの接続モードにある間、前記ユーザ機器の第１のアンテナおよび第２のアンテナを介して信号を受信すること、ここにおいて、前記第１のアンテナは、前記ユーザ機器の送信チェーンに関連する、と、
前記第１のアンテナを介して受信された前記信号の第１の信号測定値と、前記第２のアンテナを介して受信された前記信号の第２の信号測定値との間の不均衡を識別することと、
前記識別された不均衡を不均衡しきい値と比較することと、
前記比較の結果に少なくとも部分的に基づいて、モビリティイベント報告のために前記第１の信号測定値または前記第２の信号測定値を選択することと
を行うために実行可能な命令を備える、非一時的コンピュータ可読媒体。
［Ｃ２５］
前記命令は、
前記第１の信号測定値が、前記不均衡しきい値よりも大きいかまたはそれに等しい量だけ前記第２の信号測定値よりも小さいと決定することを行うために実行可能であり、
前記第１の信号測定値は、前記モビリティイベント報告のために選択される、
［Ｃ２４］に記載の非一時的コンピュータ可読媒体。
［Ｃ２６］
前記命令は、
前記第１の信号測定値と１つまたは複数のモビリティ報告しきい値との比較の結果に少なくとも部分的に基づいて、モビリティイベントの報告をトリガすることを行うために実行可能である、
［Ｃ２５］に記載の非一時的コンピュータ可読媒体。
［Ｃ２７］
前記命令は、
前記決定することに基づいて、前記モビリティイベント報告における利用のために前記第１のアンテナを介して受信された非サービングセルからの第２の信号の第３の信号測定値を選択することを行うために実行可能である、
［Ｃ２５］に記載の非一時的コンピュータ可読媒体。
［Ｃ２８］
前記命令は、
前記第１の信号測定値を信号測定しきい値と比較することを行うために実行可能であり、
前記第１の信号測定値を前記選択することは、前記第１の信号測定値が前記信号測定しきい値を下回ると識別することにさらに基づく、
［Ｃ２５］に記載の非一時的コンピュータ可読媒体。
［Ｃ２９］
前記命令は、
前記第１の信号測定値が、所定の数の測定について、前記不均衡しきい値よりも大きいかまたはそれに等しい量だけ前記第２の信号測定値よりも小さいと決定することに基づいて、前記モビリティイベント報告のために前記第１の信号測定値を選択することを行うために実行可能である、
［Ｃ２４］に記載の非一時的コンピュータ可読媒体。
［Ｃ３０］
前記不均衡しきい値は、前記第１の信号測定値、前記第２の信号測定値、モビリティ報告しきい値、またはモビリティ報告ヒステリシスのうちの１つまたは複数に少なくとも部分的に基づいて動的に調整される、
［Ｃ２４］に記載の非一時的コンピュータ可読媒体。
【国際調査報告】
2018533258.tif 000010
2018533258.tif 000011
2018533258.tif 000012